(57)【要約】【課題】本発明は、遊技者の遊技に対する興趣の向上を図ることができる遊技機を提供することを目的とする。【解決手段】遊技機１００は、待機位置と移動限界位置に移動可能に設けられた上前昇降役物装置６と、上前昇降役物装置６の両側に設けられて上前昇降役物装置６の移動を制御可能な上前昇降ユニット７と、待機位置及び移動限界位置の間の無電力保持位置に電気的動力を使用せずに上前昇降役物装置６を保持可能な保持部材５とを備えている。【選択図】図７
2020081002.tif 000002
【特許請求の範囲】
【請求項１】
第一位置と第二位置に移動可能に設けられた移動役物装置と、
前記移動役物装置の両側に設けられて前記移動役物装置の移動を制御可能な移動制御ユニットと、
前記第一位置及び前記第二位置の間の第三位置に電気的動力を使用せずに前記移動役物装置を保持可能な保持部材と
を備えることを特徴とする遊技機。
【請求項２】
前記移動制御ユニットに制御されて前記移動役物装置が前記第二位置に向かって移動している場合に、前記保持部材は、前記移動役物装置と接触可能な場所に設けられていること
を特徴とする請求項１に記載の遊技機。
【請求項３】
前記保持部材は、
前記移動役物装置が前記移動制御ユニットから供給される電気的動力で制御されていない場合には前記移動役物装置を前記第三位置に保持可能であり、
前記移動役物装置が前記移動制御ユニットから供給される電気的動力で制御されている場合には前記移動役物装置を前記第三位置に保持不可能であること
を特徴とする請求項１又は２に記載の遊技機。
【発明の詳細な説明】
【技術分野】
【０００１】
本発明は、弾球遊技機（パチンコ機）に代表される遊技機に関する。
【背景技術】
【０００２】
遊技の進行において実行される演出の一環として可動する演出役物装置を有する遊技機が知られている（例えば特許文献１）。しかしながら、従来の遊技機は、消費電力の制限などにより、遊技の進行において実行される演出によって遊技者の遊技に対する興趣の向上を十分に図ることができないという問題がある。
【先行技術文献】
【特許文献】
【０００３】
【特許文献１】特開２０１５−０５１０７９号公報
【発明の概要】
【発明が解決しようとする課題】
【０００４】
本発明の目的は、遊技者の遊技に対する興趣の向上を図ることができる遊技機を提供することにある。
【課題を解決するための手段】
【０００５】
上記目的を達成するために、本発明の一態様による遊技機は、第一位置と第二位置に移動可能に設けられた移動役物装置と、前記移動役物装置の両側に設けられて前記移動役物装置の移動を制御可能な移動制御ユニットと、前記第一位置及び前記第二位置の間の第三位置に電気的動力を使用せずに前記移動役物装置を保持可能な保持部材とを備えることを特徴とすることを特徴とする。
【０００６】
前記移動制御ユニットに制御されて前記移動役物装置が前記第二位置に向かって移動している場合に、前記保持部材は、前記移動役物装置と接触可能な場所に設けられていてもよい。
【０００７】
前記保持部材は、前記移動役物装置が前記移動制御ユニットから供給される電気的動力で制御されていない場合には前記移動役物装置を前記第三位置に保持可能であり、前記移動役物装置が前記移動制御ユニットから供給される電気的動力で制御されている場合には前記移動役物装置を前記第三位置に保持不可能であってもよい。
【発明の効果】
【０００８】
本発明の一態様によれば、遊技者の遊技に対する興趣の向上を図ることができる。
【図面の簡単な説明】
【０００９】
【図１】扉が開放された状態を示す遊技機１００の斜視図である。
【図２】扉が閉じられた状態を示す遊技機１００の斜視図である。
【図３】遊技機１００に設けられた遊技盤１０８の正面図である。
【図４】遊技の進行を制御する制御手段の内部構成を示すブロック図である。
【図５】待機位置に配置された上前昇降役物装置６および上前昇降ユニット７の正面図および背面図である。
【図６】待機位置に配置された上前昇降役物装置６および上前昇降ユニット７を示す斜視図である。
【図７】無電力保持位置に配置された上前昇降役物装置６および上前昇降ユニット７の正面図および背面図である。
【図８】無電力保持位置に配置された上前昇降役物装置６および上前昇降ユニット７を示す斜視図である。
【図９】移動限界位置に配置された上前昇降役物装置６および上前昇降ユニット７の正面図および背面図である。
【図１０】移動限界位置に配置された上前昇降役物装置６および上前昇降ユニット７を示す斜視図である。
【図１１】上前昇降ユニット７に設けられた左駆動機構７１Ｌおよび右駆動機構７１Ｒの近傍を示す拡大図である。
【図１２】左昇降装置７０Ｌに設けられた左駆動機構７１Ｌの近傍を示す拡大斜視図である。
【図１３】上前昇降ユニット７に設けられた左駆動機構７１Ｌおよび右駆動機構７１Ｒの近傍を拡大して示す側面図である。
【図１４】保持部材５、左保持駆動機構７８Ｌおよび右保持駆動機構７８Ｒの概略構成を説明する図（その１）である。
【図１５】保持部材５、左保持駆動機構７８Ｌおよび右保持駆動機構７８Ｒの概略構成を説明する図（その２）である。
【図１６】左可動部６２、中可動部６３および右可動部６４が可動前の状態の上前昇降役物装置６の概略構成を示す正面図および背面図である。
【図１７】左可動部６２、中可動部６３および右可動部６４が可動前の状態の上前昇降役物装置６の概略構成を示す正斜視図である。
【図１８】左可動部６２、中可動部６３および右可動部６４が可動後の状態の上前昇降役物装置６の概略構成を示す正面図および背面図である。
【図１９】左可動部６２、中可動部６３および右可動部６４が可動後の状態の上前昇降役物装置６の概略構成を示す正斜視図である。
【図２０】上前昇降役物装置６および下前昇降役物装置８を用いた演出態様の一例を説明する図（その１）である。
【図２１】上前昇降役物装置６および下前昇降役物装置８を用いた演出態様の一例を説明する図（その２）である。
【図２２】上前昇降役物装置６および下前昇降役物装置８を用いた演出態様の一例を説明する図（その３）である。
【発明を実施するための形態】
【００１０】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１１】
本発明の実施形態の理解を容易にするため、まず、遊技機の機械的構成および電気的構成を簡単に説明し、その後、昇降役物装置の具体的な構成を説明する。
【００１２】
図１は、本実施形態の遊技機１００の斜視図であり、扉が開放された状態を示している。図示のように、遊技機１００は、略矩形状に組まれた四辺によって囲繞空間が形成される外枠１０２と、外枠１０２にヒンジ機構によって開閉自在に取り付けられた中枠１０４と、中枠１０４に、ヒンジ機構によって開閉自在に取り付けられた前枠１０６と、を備えている。
【００１３】
中枠１０４は、外枠１０２と同様に、略矩形状に組まれた四辺によって囲繞空間が形成されており、囲繞空間に遊技盤１０８が保持されている。また、前枠１０６には、ガラス製または樹脂製の透過板１１０が保持されている。そして、中枠１０４および前枠１０６を外枠１０２に対して閉じると、遊技盤１０８と透過板１１０とが所定の間隔を維持して略平行に対面するとともに、遊技機１００の正面側から、透過板１１０を介して遊技盤１０８が視認可能となる。
【００１４】
（遊技機の詳細な構成）
次に、遊技機１００の詳細な構成について図２及び図３を用いて説明する。
図２は、遊技機１００の斜視図である。図２に示すように、前枠１０６の下部には、遊技機１００の正面側に突出する操作ハンドル１１２が設けられている。操作ハンドル１１２は、遊技者が回転操作可能に設けられており、遊技者が操作ハンドル１１２を回転させて発射操作を行うと、操作ハンドル１１２の回転角度に応じた強度で、不図示の発射機構によって遊技球が発射される。このようにして発射された遊技球は、遊技機１００の背面側から前枠１０６に取り付けられた遊技盤１０８に設けられたレール１１４ａ，１１４ｂ（図３参照）間を上昇して遊技領域１１６（図３参照）に導かれることとなる。
【００１５】
遊技領域１１６は、遊技盤１０８と透過板１１０との間隔に形成される空間であって、遊技球が流下または転動可能な領域である。透過板１１０の両側下方には、音声出力装置２０６が設けられている。また、図示は省略するが、音声出力装置２０６は、上皿１３２（詳細は後述）の下方にも設けられている。音声出力装置２０６は例えばスピーカで構成されている。音声出力装置２０６は、演出表示部２００ａ（図３参照、詳細は後述する）に表示される画像等に合わせて、遊技機１００の正面側に向けてさまざまな音声を出力する。
【００１６】
前枠１０６の下部には、皿付扉１０６ａが設けられている。皿付扉１０６ａの左側上部には、遊技者の押下操作を受け付ける押下ボタン２０８ａを有する演出操作装置２０８が配置されている。演出操作装置２０８は、例えば演出表示部２００ａに表示される画像等に合わせて有効化されるものであり、操作有効時間内に遊技者の操作を受け付けると、当該操作に応じて、さまざまな演出が実行される。
【００１７】
皿付扉１０６ａには、演出操作装置２０８の右後方に配置され、遊技機１００から払い出される賞球や遊技球貸出装置から貸し出される遊技球が導かれる上皿１３２が設けられている。また、皿付扉１０６ａには、演出操作装置２０８の下方に配置され、上皿１３２が遊技球で一杯になった場合に、上皿１３２に貯留されている遊技球が導かれる下皿１３４が設けられている。また、皿付扉１０６ａには、下皿１３４の底面に配置され、下皿１３４から遊技球を排出するための球抜き孔（不図示）が形成されている。この球抜き孔は、通常、開閉板（不図示）によって閉じられているが、球抜きつまみ（不図示）を左右方向にスライドさせることにより、球抜きつまみと一体となって開閉板がスライドし、球抜き孔から下皿１３４の下方に遊技球を排出することが可能となっている。
【００１８】
図２に示すように、皿付扉１０６ａには、透過板１１０の中央下方に配置され、遊技者が操作可能な演出操作装置４が設けられている。演出操作装置４は、押下ボタン２０８ａの右側に配置されている。演出操作装置４は、拳銃を模した入力操作部４１と、入力操作部４１を昇降可能に皿付扉１０６ａに取り付けられた昇降部４２とを有している。入力操作部４１は、拳銃のグリップを模したグリップ部および引き金を模した引き金部が皿付扉１０６ａの遊技者側に配置されるように皿付扉１０６ａに取り付けられ、遊技者が操作しやすいようになっている。また、入力操作部４１は、拳銃の銃身を模した銃身部が上皿１３２の上方を通り銃口を模した銃口部が透過板１１０および遊技盤１０８に向けられた状態で配置されている。
【００１９】
昇降部４２は、弾丸を打った場合の拳銃の挙動を模した動作を入力操作部４１に実現させるための駆動機構（不図示）を収容している。昇降部４２は、皿付扉１０６ａの内部に設けられた昇降用モータ（不図示）などを有する昇降機構（不図示）によって昇降が制御される。
【００２０】
入力操作部４１は、引き金部およびグリップ部が皿付扉１０６ａの上面（上皿１３２の開口端が設けられた面）よりも下方に配置され、銃身部が上皿１３２の直上に配置される。入力操作部４１の引き金部は、皿付扉１０６ａに挟まれた状態となる。このため、演出操作装置４が通常状態にある場合には、遊技者が引き金部を操作し難くなっている。これにより、遊技機１００は、演出操作装置４を遊技者に操作させる操作演出以外の時に遊技者が引き金部を無造作に引くことを防止することができる。
【００２１】
演出操作装置４による操作演出が実行される場合には、昇降部４２が上昇して、入力操作部４１の引き金部が皿付扉１０６ａの上面よりも上方に配置される。入力操作部４１の振動によって入力操作部４１の操作を促された遊技者が入力操作部４１の引き金部を引くと、例えば銃身部が上方に跳ね上げられた後に元の状態に戻る。このように、入力操作部４１は、遊技者の操作を契機として弾丸を発射した場合の拳銃の挙動を模した動作を実行するように構成されている。また、入力操作部４１が操作されたことを契機として、遊技盤１０８の開口部１０８ｃ（不図示）の上方からほぼ中央部に移動していた上前昇降役物装置（移動役物装置の一例）６と、開口部１０８ｃの下方からほぼ中央部に移動していた下前昇降役物装置８とがそれぞれ中央部で複数に分割されるとともに発光される演出（詳細は後述）が実行される場合がある。
【００２２】
遊技者による入力操作部４１の操作が終了して所定期間が経過すると、昇降部４２は下降して最も下方に配置された状態に移行する。これにより、演出操作装置４は、初期位置で皿付扉１０６ａに配置される。このように、演出操作装置４は、操作演出において「上昇→振動→跳ね上げ動作→下降」という一連の動作を実行できるように構成されている。
【００２３】
次に、遊技盤１０８の構成について図３を用いて説明する。図３では、理解を容易にするため、待機位置に配置されている場合には視認できない上後可動役物装置２０２ａ（詳細は後述）が可動後の状態で図示されている。また、図３では、理解を容易にするため、遊技盤１０８に設けられた装飾アクリル板の後側に配置された第２遊技領域１１６ｂの流下通路、第２始動口１２２の可動片１２２ａ、第１大入賞口１２６の開閉扉１２６ａ、第２大入賞口１２８の開閉扉１２８ａ（いずれも詳細は後述）が図示されている。また、図３では、理解を容易にするため、可動片１２２ａおよび開閉扉１２６ａは、可動前の状態（閉状態）が破線で図示され、可動後の状態（開状態）が実線で図示されている。
【００２４】
図３に示すように、遊技盤１０８には、多数の釘１３１や１つの風車１３３が設けられており、遊技領域１１６に導かれた遊技球が釘１３１や風車１３３に衝突して、不規則な方向に流下、転動するようにしている。なお、図３では、遊技領域１１６に設けられた多数の釘１３１が白丸で図示され、多数の釘１３１のうちの１つの釘１３１のみに参照符号が付されている。
【００２５】
図３に示すように、遊技領域１１６は、発射機構の発射強度に応じて遊技球の進入度合いを互いに異にする第１遊技領域１１６ａおよび第２遊技領域１１６ｂを備えている。第１遊技領域１１６ａは、遊技機１００に正対した遊技者から見て遊技領域１１６の左側に位置し、第２遊技領域１１６ｂは、遊技機１００に正対した遊技者から見て遊技領域１１６の右側に位置している。レール１１４ａ，１１４ｂが遊技領域１１６の左側にあることから、発射機構によって所定の強度未満の発射強度で発射された遊技球は第１遊技領域１１６ａに進入し、所定の強度以上の発射強度で発射された遊技球は第２遊技領域１１６ｂに進入することとなる。
【００２６】
また、遊技領域１１６には、遊技球が入球可能な複数の一般入賞口１１８、第１始動口１２０、第２始動口１２２が設けられており、一般入賞口１１８、第１始動口１２０、第２始動口１２２に遊技球が入球すると、それぞれ所定の賞球が遊技者に払い出される。遊技球の入球に基づいて払い出される賞球数は、入賞口ごとに異なっていてもよい。
【００２７】
詳細な説明は省略するが、第１始動口１２０内には第１始動領域が設けられ、また、第２始動口１２２内には第２始動領域が設けられている。そして、第１始動口１２０または第２始動口１２２に遊技球が入球して第１始動領域または第２始動領域に遊技球が進入すると、予め設けられた複数の特別図柄の中からいずれか一の特別図柄を決定するための抽選、すなわち遊技者に遊技利益を付与するか否かの抽選（以下、「大役抽選」という）が行われる。つまり、第１始動口１２０および第２始動口１２２は、遊技盤１０８に設けられた遊技領域１１６を、遊技中に流下する遊技球の入球によって大役抽選の実行契機を発生させる始動口に相当する。各特別図柄には、遊技者にとって有利な大役遊技の実行可否や、以後の遊技状態をどのような遊技状態にするかといった種々の遊技利益が対応付けられている。したがって、遊技者は、第１始動口１２０または第２始動口１２２に遊技球が入球すると、所定の賞球を獲得するのと同時に、種々の遊技利益を受ける権利獲得の機会を獲得することとなる。
【００２８】
第１始動口１２０は、遊技領域１１６の下部であって、第１遊技領域１１６ａを流下する遊技球のみが入球可能であるか、または、第１遊技領域１１６ａに進入した遊技球の方が、第２遊技領域１１６ｂに進入した遊技球よりも進入しやすい位置に配置されている。
【００２９】
また、図３に示すように、第２始動口１２２は、第２遊技領域１１６ｂの下部に配置されている。第２始動口１２２は、第２遊技領域１１６ｂを流下する遊技球のみが入球可能であるか、または、第２遊技領域１１６ｂに進入した遊技球の方が、第１遊技領域１１６ａに進入した遊技球よりも進入しやすい位置に配置されている。第２始動口１２２は、可動片１２２ａを有する始動可変入賞装置によって構成されており、第２始動口１２２への遊技球の進入容易性が可変するようになっている。具体的には、第２始動口１２２は、可動片１２２ａが遊技盤１０８の盤面に沿って所定範囲で回転することによって開閉可能に設けられている。可動片１２２ａが閉状態にあるときには、図３中に破線で示すように、可動片１２２ａは立ち上がって第２始動口１２２の入球口を塞いだ状態となり、第２始動口１２２への遊技球の進入が不可能または困難となっている。これに対して、第２始動口１２２の上方であって第２遊技領域１１６ｂに設けられたゲート１２４（詳細は後述）を遊技球が通過すると、普通図柄の抽選が行われ、この抽選によって当たりに当選すると、可動片１２２ａが例えば遊技盤１０８の盤面に沿って所定位置まで左回転（反時計回り）して所定時間、開状態に制御される。このように、可動片１２２ａが開状態になると、図３中に実線で示すように、可動片１２２ａは、第２始動口１２２の入球口に向かって上方から下方に傾斜した状態となり、可動片１２２ａが遊技球を第２始動口１２２に導く受け皿として機能し、第２始動口１２２への遊技球の入球が容易となる。
【００３０】
第２遊技領域１１６ｂには、第２遊技領域１１６ｂを流下する遊技球のみが入球可能であるか、または、第２遊技領域１１６ｂに進入した遊技球の方が、第１遊技領域１１６ａに進入した遊技球よりも進入しやすい位置に第１大入賞口１２６が設けられている。第１大入賞口１２６には、開閉扉１２６ａが開閉可能に設けられている。開閉扉１２６ａは、例えば図示しないソレノイドを用いたリンク機構の働きにより、遊技盤１０８の盤面に沿って所定範囲で回転して開閉動作するようになっている。図３中に破線で示すように、開閉扉１２６ａが立ち上がって第１大入賞口１２６の入球口を塞いだ状態となって閉位置（閉鎖状態）にあると、第１大入賞口１２６は、遊技球の入球が困難な状態となる。一方、開閉扉１２６ａが例えば遊技盤１０８の盤面に沿って所定位置まで左回転（反時計回り）して開位置（開放状態）にあると、第１大入賞口１２６は、開閉扉１２６ａが閉鎖状態の場合と比較して、遊技球の入球が困難ではない（容易又は可能な）状態となる。これにより、遊技機１００は、第１大入賞口１２６への入賞という事象を発生させることができる。このとき開閉扉１２６ａは、第１大入賞口１２６の入球口に向かって上方から下方に傾斜した状態となり、開閉扉１２６ａが遊技球を第１大入賞口１２６の入球口に導く受け皿として機能する。通常、開閉扉１２６ａが第１大入賞口１２６を閉鎖して、第１大入賞口１２６への遊技球の入球が不可能となっている。これに対して、前述の大役遊技が実行されると、開閉扉１２６ａが開放状態となって、遊技球は第１大入賞口１２６への入球が可能となる。第１大入賞口１２６に遊技球が入球すると、所定の賞球が遊技者に払い出される。
【００３１】
さらに、第２遊技領域１１６ｂであって第１大入賞口１２６の上方には、第２遊技領域１１６ｂを流下する遊技球のみが入球可能であるか、または、第２遊技領域１１６ｂに進入した遊技球の方が、第１遊技領域１１６ａに進入した遊技球よりも進入しやすい位置に第２大入賞口１２８が設けられている。第２大入賞口１２８には、開閉扉１２８ａが開閉可能に設けられている。開閉扉１２８ａは、例えば図示しないソレノイドを用いたリンク機構の働きにより、遊技盤１０８の盤面に対して前後方向に往復して開閉動作するようになっている。図３に示すように、開閉扉１２８ａが遊技盤１０８の盤面に沿った状態となって閉位置（閉鎖状態）にあると、第２大入賞口１２８は、遊技球の入球が困難な状態となる。一方、開閉扉１２８ａが下端縁部分をヒンジとして前方へ倒れ込むようにして変位して遊技盤１０８の盤面から突き出たような状態となって開位置（開放状態）にあると、第２大入賞口１２８は、開閉扉１２８ａが閉鎖状態の場合と比較して、遊技球の入球が困難ではない（容易又は可能な）状態となる。これにより、遊技機１００は、第２大入賞口１２８への入賞という事象を発生させることができる。このとき開閉扉１２８ａは第２大入賞口１２８の入球口への遊技球の流入を案内する部材としても機能する。通常、開閉扉１２８ａが第２大入賞口１２８を閉鎖して、第２大入賞口１２８への遊技球の入球が不可能となっている。これに対して、前述の大役遊技が実行されると、開閉扉１２８ａが開放状態となって、遊技球は第２大入賞口１２８への入球が可能となる。第２大入賞口１２８に遊技球が入球すると、所定の賞球が遊技者に払い出される。
【００３２】
第１大入賞口１２６の下方には、ゲート１２４、第２始動口１２２および作動口１１９が設けられている。詳細な説明は省略するが、ゲート１２４を遊技球が通過するか、作動口１１９に遊技球が入球すると、予め設けられた複数の図柄の中からいずれか１つの普通図柄を決定するための抽選、すなわち遊技者に遊技利益を付与するか否かの抽選（以下、「普図抽選」という）が行われる。つまり、ゲート１２４および作動口１１９は、遊技盤１０８に設けられた遊技領域１１６を、遊技中に流下する遊技球の通過または入球によって普図抽選の実行契機を発生させる。普図抽選に当選すると、第２始動口１２２の可動片１２２ａが所定期間だけ開状態となり、第２始動口１２２に遊技球が進入しやすい状態となり、遊技者は大役抽選の権利を獲得しやすくなる。
【００３３】
ゲート１２４および第２始動口１２２は、ユニット化されている。このユニットが遊技盤１０８の第２遊技領域１１６ｂに取り付けられることにより、ゲート１２４および第２始動口１２２が遊技盤１０８に設けられる。このユニットには、複数の釘１３１が設けられ、当該複数の釘１３１によって、ゲート１２４を通過して第２始動口１２２に向かう経路と、ゲート１２４を通過して作動口１１９に向かう経路と、ゲート１２４を通過せずに第２始動口１２２に向かう経路と、ゲート１２４を通過せずに作動口１１９に向かう経路とが形成されている。遊技機１００は、第２遊技領域１１６ｂ側を狙って遊技を行う状態（右打ち状態）の場合には、極めて高い確率で普図抽選に当選するように構成されている。このため、第２始動口１２２の可動片１２２ａは、右打ち状態の場合にほぼ開状態を維持した状態となる。これにより、第２遊技領域１１６ｂを流下してこのユニットに進入し上述の４つの経路のいずれかを通過した遊技球のほとんどは、第２始動口１２２または作動口１１９のいずれかに入球する。第２始動口１２２および作動口１１９に遊技球が入球すると、遊技者に同数（例えば１個）の賞球が付与されるようになっている。このため、右打ち状態の場合には、遊技球が第２始動口１２２に入球しなくても作動口１１９に入球することによって遊技者の持ち球が減りにくくなっている。
【００３４】
また、作動口１１９に遊技球が入球すると、ゲート１２４を遊技球が通過した場合と同様に、普図抽選が実行されるようになっている。このため、遊技機１００は、第２遊技領域１１６ｂに打ち出された遊技球の１個当たり、最大で２回の普図抽選の機会を遊技者に付与できるように構成されている。
【００３５】
第１遊技領域１１６ａの右側縁部には球案内通路１６５が形成されている。球案内通路１６５の下縁部には転動ステージ１６７が形成されている。球案内通路１６５は第１遊技領域１１６ａ内にて左斜め上方に開口しており、第１遊技領域１１６ａ内を流下する遊技球がこの開口を通って無作為に球案内通路１６５内に流入する。球案内通路１６５内に流入した遊技球は、球案内通路１６５の内部を通過して転動ステージ１６７上に放出される。転動ステージ１６７の上面は滑らかな湾曲面を有している。転動ステージ１６７上では、遊技球が左右方向に転動自在である。転動ステージ１６７上で転動した遊技球は、やがて下方の第１遊技領域１１６ａ内に流下する。転動ステージ１６７の中央位置には球放出路１６７ａが形成されている。球放出路１６７ａから流下する遊技球は、球放出路１６７ａの直下に配置された第１始動口１２０に流入しやすくなる。
【００３６】
また、第１遊技領域１１６ａには、第１始動口１２０の左側に３つの一般入賞口１１８が設けられている。また、第１始動口１２０の下方には、遊技領域１１６から遊技盤１０８の背面側に遊技球を排出する排出口（不図示）が３つ設けられている。この３つの排出口は、第１始動口１２０の下方および当該下方の両側に配置されている。この３つの排出口は、第１遊技領域１１６ａを流下して第１始動口１２０および一般入賞口１１８のいずれにも入球しなかった遊技球や、第２遊技領域１１６ｂを流下して第１大入賞口１２６、第２大入賞口１２８、第２始動口１２２および作動口１１９のいずれにも入球しなかった遊技球を遊技領域１１６から遊技盤１０８の背面側に排出するようになっている。このように、遊技機１００には、一般入賞口１１８、第１始動口１２０、第２始動口１２２、第１大入賞口１２６、第２大入賞口１２８および作動口１１９のいずれにも入球しなかった遊技球を遊技領域１１６から遊技盤１０８の背面側に排出させるために３つの排出口が設けられている。
【００３７】
遊技盤１０８には、遊技の進行中等に演出を行う演出装置として、液晶表示装置からなる演出表示装置２００、可動装置からなる上後可動役物装置２０２ａ、下後可動役物装置２０２ｂおよび下部可動役物装置２０２ｃ、昇降可能な上前昇降役物装置６および下前昇降役物装置８、さまざまな点灯態様や発光色に制御される複数のランプからなる演出照明装置２０４が設けられている。上前昇降役物装置６、下前昇降役物装置８、上後可動役物装置２０２ａ、下後可動役物装置２０２ｂおよび下部可動役物装置２０２ｃはいずれも、演出可動役物装置である。以下、遊技盤１０８の背面の左右両側に配置された昇降ユニットによって移動が制御されない上後可動役物装置２０２ａ、下後可動役物装置２０２ｂおよび下部可動役物装置２０２ｃを総称して「演出役物装置２０２」と称する場合がある。
【００３８】
演出表示装置２００は、画像を表示する画像表示部からなる演出表示部２００ａを備えており、演出表示部２００ａを、遊技盤１０８の略中央部分において、遊技機１００の正面側から視認可能に配置している。演出表示部２００ａには、図３に示すように演出図柄２１０ａ，２１０ｂ，２１０ｃが変動表示され、演出図柄２１０ａ，２１０ｂ，２１０ｃの停止表示態様によって大役抽選結果が遊技者に報知される変動演出が実行されることとなる。変動演出では、演出表示部２００ａに加えて演出操作装置４、上前昇降役物装置６、下前昇降役物装置８、演出役物装置２０２、演出照明装置２０４、音声出力装置２０６（図２参照）および演出操作装置２０８等の複数の演出装置の動作が行われてもよい。以下、演出操作装置４、上前昇降役物装置６、下前昇降役物装置８および演出役物装置２０２を「可動体」と総称する場合がある。
【００３９】
上前昇降役物装置６、下前昇降役物装置８、上後可動役物装置２０２ａおよび下後可動役物装置２０２ｂは、演出表示部２００ａよりも前面に配置され、通常、遊技盤１０８の背面側に退避しているが、上記の演出図柄２１０ａ，２１０ｂ，２１０ｃの変動表示中などに、演出表示部２００ａの前面に可動して、例えば遊技者に大当たりの期待感を付与するように構成されている。上前昇降役物装置６、下前昇降役物装置８、上後可動役物装置２０２ａおよび下後可動役物装置２０２ｂは、それぞれ単独で、または少なくともいずれか２つが演出表示部２００ａの中央に移動して種々の動作を実行するようになっている。
【００４０】
下部可動役物装置２０２ｃは、左側装飾部材２０２ｃ１および右側装飾部材２０２ｃ２を有し、遊技盤１０８よりも前面に配置されている。下部可動役物装置２０２ｃは、例えば演出操作装置４の操作を遊技者に促す演出やその他の演出に用いられる。下部可動役物装置２０２ｃは、これらの演出において、左側装飾部材２０２ｃ１および右側装飾部材２０２ｃ２が左右に分かれ、かつ左側装飾部材２０２ｃ１および右側装飾部材２０２ｃ２の間隙が発光する動作を必要に応じて実行するように構成されていてもよい。下部可動役物装置２０２ｃ、第１始動口１２０、作動口１１９および排出口（不図示）は、ユニット化されている。このユニットが遊技盤１０８に取り付けられることにより、下部可動役物装置２０２ｃ、第１始動口１２０、作動口１１９および排出口が遊技盤１０８に設けられる。
【００４１】
下後可動役物装置２０２ｂは、待機位置に配置されている場合には、遊技盤１０８の下部背面側および下前昇降役物装置８の背面側に配置されている。下後可動役物装置２０２ｂは、通常（待機位置に配置されている場合）、遊技盤１０８および下前昇降役物装置８の背面側に退避し、図３に示すように、極僅かな一部分だけが遊技者から視認できるようになっている。下後可動役物装置２０２ｂは、遊技の進行に伴い、演出を盛り上げて遊技に対する遊技者の興趣を向上させるために必要に応じて、開口部１０８ｃの下部と開口部１０８ｃのほぼ中央に移動可能に構成されている。例えば、下後可動役物装置２０２ｂは、開口部１０８ｃの下部から開口部１０８ｃのほぼ中央まで移動可能に構成されていてもよい。また、下後可動役物装置２０２ｂは、一部分が所定動作（例えば回転動作）を実行したり発光したりするように構成されている。
【００４２】
上後可動役物装置２０２ａは、３つのサーチライトを模した態様を有している。上後可動役物装置２０２ａは、待機位置に配置されている場合には、遊技盤１０８の上部背面側および上前昇降役物装置６の背面側に配置されている。上後可動役物装置２０２ａは、通常（待機位置に配置されている場合）、遊技盤１０８および上前昇降役物装置６の背面側に退避し、遊技者から視認できないようになっている。上後可動役物装置２０２ａは、遊技の進行に伴い、演出を盛り上げて遊技に対する遊技者の興趣を向上させるために必要に応じて、図３に示すように、遊技盤１０８の開口部１０８ｃの上方で遊技者が視認できるように移動可能に構成されている。上後可動役物装置２０２ａは、一部分が発光可能に構成されている。
【００４３】
上前昇降役物装置６は、遊技盤１０８の背面側に配置されている。上前昇降役物装置６は、例えば遊技盤１０８に取り付けられている。上前昇降役物装置６は、待機位置（第一位置の一例）と移動限界位置（第二位置の一例）に移動可能に設けられている。上前昇降役物装置６は、例えば待機位置から移動限界位置まで移動可能に設けられていてもよい。上前昇降役物装置６の待機位置は、遊技盤１０８の開口部１０８ｃの上方の遊技盤１０８の背面側である。図３に示すように、上前昇降役物装置６は、待機位置において、一部が開口部１０８ｃの上方に露出し、残部が遊技盤１０８の盤面で遮蔽された状態で配置される。上前昇降役物装置６の移動後の移動限界位置は、演出表示部２００ａの中央下寄りかつ前面である。また、上前昇降役物装置６の移動限界位置は、開口部１０８ｃの中央下寄りかつ遊技盤１０８の背面でもある。また、上前昇降役物装置６の移動限界位置は、遊技盤１０８を正面側から見た場合に、待機位置（詳細は後述）に配置された下前昇降役物装置８の直上の位置である。上前昇降役物装置６が移動限界位置に配置されている場合には、遊技盤１０８を正面側から見て、上前昇降役物装置６の下部と待機位置に配置された下前昇降役物装置８の上部との間にわずかな間隙が形成される。遊技機１００は、上前昇降役物装置６が移動限界位置に配置されている場合には、下前昇降役物装置８を動作させずに待機位置に配置した状態を維持するようになっている。これにより、遊技盤１０８は、移動限界位置に移動した上前昇降役物装置６と下前昇降役物装置８とが接触して上前昇降役物装置６および下前昇降役物装置８の少なくとも一方が破損することを防止できる。
【００４４】
さらに、上前昇降役物装置６は、上前昇降役物装置６の一部を可動させるモータ（不図示）を有している。また、上前昇降役物装置６は、上前昇降役物装置６の一部を発光させる光源を有していてもよい。このため、上前昇降役物装置６は、遊技の進行状況（例えば大役抽選の結果が大当たりに係る変動演出の実行中）に応じて、上前昇降役物装置６の一部を可動させて変形するようになっている。すなわち、上前昇降役物装置６は、当該一部が可動していない通常態様（第一態様）と、当該一部が可動した可動態様（第二態様）とに変形可能である。さらに、上前昇降役物装置６は、可動態様として複数の態様を有していてもよい。例えば、上前昇降役物装置６は、当該一部の可動範囲を段階的に異ならせることによって複数の可動態様を有してもよい。また例えば、上前昇降役物装置６は、複数の当該一部を有し、複数の当該一部のうちの可動する部分、可動する範囲、可動する個数およびこれらの組み合わせが異なることによって複数の可動態様を有してもよい。また、上前昇降役物装置６は、光源を有している場合には、遊技の進行状況に応じて発光することができる。
【００４５】
詳細は後述するが、上前昇降役物装置６は、上前昇降役物装置６を昇降させる上前昇降ユニット７（図３では不図示）に取り付けられた保持部材５（図３では不図示）に保持されて、待機位置と移動限界位置との間の無電力保持位置（第三位置の一例）に配置できるようになっている。上前昇降役物装置６、上前昇降ユニット７および保持部材５の詳細な構成については後述する。
【００４６】
上前昇降役物装置６の無電力保持位置は、演出表示部２００ａの中央上寄りかつ前面である。また、上前昇降役物装置６の無電力保持位置は、開口部１０８ｃの中央上寄りかつ遊技盤１０８の背面でもある。このため、上前昇降役物装置６は、通常（待機位置に配置されている場合）、遊技盤１０８の上部の背面側に退避して配置され（図３参照）、遊技の進行状況に応じて、遊技盤１０８の上部から降下して演出表示部２００ａの中央上寄りかつ前面、または演出表示部２００ａの中央下寄りかつ前面に配置される。このように、上前昇降役物装置６は、遊技盤１０８の上部から中央部に降下可能に設けられている。
【００４７】
下前昇降役物装置８は、遊技盤１０８の背面側に配置されている。下前昇降役物装置８は、例えば遊技盤１０８に取り付けられている。下前昇降役物装置８は、待機位置と移動限界位置に移動可能に設けられている。下前昇降役物装置８は、例えば待機位置から移動限界位置まで移動可能に設けられていてもよい。下前昇降役物装置８の待機位置は、球案内通路１６５および転動ステージ１６７を含む一定領域であって遊技盤１０８の下部の背面側である。下前昇降役物装置８の移動後の移動限界位置は、演出表示部２００ａの中央下寄りかつ前面である。また、下前昇降役物装置８の移動後の移動限界位置は、開口部１０８ｃの中央下寄りかつ遊技盤１０８の背面でもある。このため、下前昇降役物装置８は、通常（待機位置に配置されている場合）、遊技盤１０８の下部の背面側に退避して配置され（図３参照）、遊技の進行状況に応じて、遊技盤１０８の下部から上昇して演出表示部２００ａの中央下寄りかつ前面に配置される。このように、下前昇降役物装置８は、遊技盤１０８の下部から中央部に上昇可能に設けられている。
【００４８】
また、下前昇降役物装置８の移動限界位置は、遊技盤１０８を正面側から見た場合に、上前昇降役物装置６の移動限界位置とほぼ同じ位置である。このように、下前昇降役物装置８および上前昇降役物装置６は、ほぼ同じ位置に移動できるように構成されているが、上述のとおり、下前昇降役物装置８は、上前昇降役物装置６が移動限界位置に配置されている場合に可動しないように制御される。このため、遊技機１００は、上前昇降役物装置６および下前昇降役物装置８を広範囲に可動しつつも、上前昇降役物装置６および下前昇降役物装置８の接触を防止できる。これにより、遊技機１００は、上前昇降役物装置６および下前昇降役物装置８を用いた演出によって遊技者の遊技に対する興趣の向上を図るとともに、上前昇降役物装置６および下前昇降役物装置８の接触による破損を防止できる。
【００４９】
また、下前昇降役物装置８の移動限界位置は、遊技盤１０８を正面側から見た場合に、無電力保持位置に配置された上前昇降役物装置６に接触しない位置でもある。遊技盤１０８を正面側から見た場合、移動限界位置に配置された下前昇降役物装置８の上部と、無電力保持位置に配置された上前昇降役物装置６の下部との間には、わずかな間隙が形成される。上前昇降役物装置６が無電力保持位置に配置されている場合に下前昇降役物装置８が移動限界位置に移動しても、下前昇降役物装置８および上前昇降役物装置６が接触しないようになっている。これにより、遊技盤１０８は、演出表示部２００ａの中央前面に上前昇降役物装置６および下前昇降役物装置８を配置し、大当たりの当選や大役遊技の連荘などの期待感を遊技者に付与して、遊技者の遊技に対する興趣の向上を図ることができる。下前昇降役物装置８は、遊技盤１０８の左右背面側に設けられた下前昇降ユニット９（不図示）によって昇降動作（上下方向の移動動作）が制御されるようになっている。
【００５０】
さらに、下前昇降役物装置８は、下前昇降役物装置８の一部を可動させるモータ（不図示）を有している。また、下前昇降役物装置８は、下前昇降役物装置８の一部を発光させる光源を有していてもよい。このため、下前昇降役物装置８は、遊技の進行状況（例えば大役抽選の結果が大当たりに係る変動演出の実行中）に応じて、下前昇降役物装置８の一部を可動させて変形するようになっている。すなわち、下前昇降役物装置８は、当該一部が可動していない通常態様（第一態様）と、当該一部が可動した可動態様（第二態様）とに変形可能である。さらに、下前昇降役物装置８は、可動態様として複数の態様を有していてもよい。例えば、下前昇降役物装置８は、当該一部の可動範囲を段階的に異ならせることによって複数の可動態様を有してもよい。また例えば、下前昇降役物装置８は、複数の当該一部を有し、複数の当該一部のうちの可動する部分、可動する範囲、可動する個数及びこれらの組み合わせが異なることによって複数の可動態様を有してもよい。また、下前昇降役物装置８は、光源を有している場合には、遊技の進行状況に応じて発光することができる。
【００５１】
演出照明装置２０４は、第２遊技領域１１６ｂ側の遊技盤１０８の背面に配置されている。演出照明装置２０４は、遊技盤１０８の背面側に限られず、演出表示部２００ａにおいて実行される演出や上前昇降役物装置６および下前昇降役物装置８において実行される演出などを妨げない場所に配置されていてもよい。演出照明装置２０４は、演出表示部２００ａに表示される画像等に合わせて、さまざまに点灯制御される。
【００５２】
また、遊技盤１０８には、遊技領域１１６の外方であって、かつ、遊技者が視認可能な位置に、第１特別図柄表示器１６０、第２特別図柄表示器１６２、第１特別図柄保留表示器１６４、第２特別図柄保留表示器１６６、普通図柄表示器１６８、普通図柄保留表示器１７０、右打ち報知表示器１７２が設けられている。各表示器１６０，１６２，１６４，１６６，１６８，１７０，１７２は、遊技に係る種々の状況を表示するための装置である。
【００５３】
（制御手段の内部構成）
図４は、遊技の進行を制御する制御手段の内部構成を示すブロック図である。
【００５４】
主制御基板３００は遊技の基本動作を制御する。主制御基板３００は、メインＣＰＵ３００ａ、メインＲＯＭ３００ｂ、メインＲＡＭ３００ｃを備えている。メインＣＰＵ３００ａは、各検出スイッチやタイマからの入力信号に基づいて、メインＲＯＭ３００ｂに格納されたプログラムを読み出して演算処理を行うとともに、各装置や表示器を直接制御したり、あるいは演算処理の結果に応じて他の基板にコマンドを送信したりする。メインＲＡＭ３００ｃは、メインＣＰＵ３００ａの演算処理時におけるデータのワークエリアとして機能する。
【００５５】
本実施形態の遊技機１００は、主に第１始動口１２０または第２始動口１２２への遊技球の入球によって開始される特別遊技と、ゲート１２４への遊技球の通過または作動口１１９への遊技球の入球によって開始される普通遊技とに大別される。そして、主制御基板３００のメインＲＯＭ３００ｂには、特別遊技および普通遊技を進行するための種々のプログラムや、各種の遊技に必要なデータ、テーブルが記憶されている。
【００５６】
主制御基板３００には、一般入賞口１１８に遊技球が入球したことを検出する一般入賞口検出スイッチ１１８ｓ、第１始動口１２０に遊技球が入球したことを検出する第１始動口検出スイッチ１２０ｓ、第２始動口１２２に遊技球が入球したことを検出する第２始動口検出スイッチ１２２ｓ、ゲート１２４を遊技球が通過したことを検出するゲート検出スイッチ１２４ｓ、作動口１１９に遊技球が入球したことを検出する作動口検出スイッチ１１９ｓ、第１大入賞口１２６に遊技球が入球したことを検出する第１大入賞口検出スイッチ１２６ｓ、第２大入賞口１２８に遊技球が入球したことを検出する第２大入賞口検出スイッチ１２８ｓが接続されており、これら各検出スイッチから主制御基板３００に検出信号が入力されるようになっている。一般入賞口検出スイッチ１１８ｓは、一般入賞口１１８ごとに設けられている。このため、主制御基板３００には、合計３個の一般入賞口検出スイッチ１１８ｓが接続されている。
【００５７】
また、主制御基板３００には、第２始動口１２２の可動片１２２ａを作動する普通電動役物ソレノイド１２２ｃと、第１大入賞口１２６を開閉する開閉扉１２６ａを作動する第１大入賞口ソレノイド１２６ｃと、第２大入賞口１２８を開閉する開閉扉１２８ｂを作動する第２大入賞口ソレノイド１２８ｃとが接続されており、主制御基板３００によって、第２始動口１２２、第１大入賞口１２６および第２大入賞口１２８の開閉制御がなされるようになっている。
【００５８】
さらに、主制御基板３００には、第１特別図柄表示器１６０、第２特別図柄表示器１６２、第１特別図柄保留表示器１６４、第２特別図柄保留表示器１６６、普通図柄表示器１６８、普通図柄保留表示器１７０、右打ち報知表示器１７２が接続されており、主制御基板３００によって、これら各表示器の表示制御がなされるようになっている。なお、右打ち報知表示器１７２は、現在の遊技が右打ち状態であることを遊技者に報知するための表示器である。
【００５９】
また、遊技機１００には、電波を検知する電波検知センサ、磁気を検知する磁気検知センサ、中枠１０４や前枠１０６の開放状態を検知する扉開放センサ等、異常または不正の可能性があることを検知する異常検知センサ１７４が複数設けられており、各異常検知センサ１７４から主制御基板３００に異常検知信号が入力されるように構成されている。
【００６０】
そして、主制御基板３００には、払出制御基板３１０および副制御基板３３０が接続されている。
【００６１】
払出制御基板３１０は、遊技球を発射させるための制御、および、賞球を払い出すための制御を行う。払出制御基板３１０も、ＣＰＵ、ＲＯＭ、ＲＡＭを備えており、主制御基板３００に対して双方向に通信可能に接続されている。払出制御基板３１０には遊技情報出力端子板３１２が接続されており、主制御基板３００から出力される遊技進行上の種々の情報が、払出制御基板３１０および遊技情報出力端子板３１２を介して、遊技店のホールコンピュータ等に出力されることとなる。
【００６２】
また、払出制御基板３１０には、貯留部に貯留された遊技球を賞球として遊技者に払い出すための払出モータ３１４が接続されている。払出制御基板３１０は、主制御基板３００から送信された払出個数指定コマンドに基づいて払出モータ３１４を制御して所定の賞球を遊技者に払い出すように制御する。このとき、遊技球の払い出しが払出検知スイッチ３１５ｓによって検出され、払い出された遊技球数が払出球計数スイッチ３１６ｓによって検出され、払い出すべき賞球が遊技者に払い出されたかが把握されるようになっている。払出モータ３１４の駆動により実際に賞球が払い出されると、その都度、払出検知スイッチ３１５ｓからの検知信号および払出球計数スイッチ３１６ｓからの計数信号が払出制御基板３１０に入力される。
【００６３】
また、払出制御基板３１０には、下皿１３４の満タン状態を検出する皿満タン検出スイッチ３１８ｓが接続されている。皿満タン検出スイッチ３１８ｓは、賞球として払い出される遊技球を下皿１３４に導く通路に設けられており、当該通路を遊技球が通過するたびに、遊技球検出信号が払出制御基板３１０に入力されるようになっている。
【００６４】
そして、下皿１３４に所定量以上の遊技球が貯留されて満タン状態になると、下皿１３４に向かう通路内に遊技球が滞留し、皿満タン検出スイッチ３１８ｓから払出制御基板３１０に向けて、遊技球検出信号が連続的に入力される。払出制御基板３１０は、遊技球検出信号が所定時間連続して入力された場合に、下皿１３４が満タン状態であると判断し、皿満タンコマンドを主制御基板３００に送信する。一方、皿満タンコマンドを送信した後、遊技球検出信号の連続入力が途絶えた場合には、満タン状態が解除されたと判断し、皿満タン解除コマンドを主制御基板３００に送信する。
【００６５】
また、払出制御基板３１０には、発射制御基板３２０が双方向に通信可能に接続されている。発射制御基板３２０は、払出制御基板３１０から発射制御データを受信すると発射の許可を行う。発射制御基板３２０は、操作ハンドル１１２に設けられ、操作ハンドル１１２に遊技者が触れたことを検出するタッチセンサ１１２ｓと、操作ハンドル１１２の操作角度を検出する操作ボリューム１１２ａと、が接続されている。そして、タッチセンサ１１２ｓおよび操作ボリューム１１２ａから信号が入力されると、発射制御基板３２０において、遊技球発射装置に設けられた発射用ソレノイド１１２ｃを通電して遊技球を発射させる制御がなされる。
【００６６】
副制御基板３３０は、主に遊技中や待機中等の各演出を制御する。副制御基板３３０は、サブＣＰＵ３３０ａ、サブＲＯＭ３３０ｂ、サブＲＡＭ３３０ｃ、画像制御部３４０、音声制御部３５０、照明制御部３６０および可動体制御部３７０を備えている。サブＣＰＵ３３０ａ、画像制御部３４０、音声制御部３５０、照明制御部３６０および可動体制御部３７０は、それぞれ個別の回路で構成されていてもよい。また、サブＣＰＵ３３０ａ、画像制御部３４０、音声制御部３５０、照明制御部３６０および可動体制御部３７０は、少なくとも２つ以上が１つの回路で構成（例えば１パッケージ化または１チップ化）され、この回路の機能ブロックとして構成されていてもよい。
【００６７】
副制御基板３３０は、主制御基板３００に対して、主制御基板３００から副制御基板３３０への一方向に通信可能に接続されている。サブＣＰＵ３３０ａは、主制御基板３００から送信されたコマンドやタイマからの入力信号等に基づいて、サブＲＯＭ３３０ｂに格納されたプログラムを読み出して演算処理を行うとともに、演出を実行するためのコマンドを、画像制御部３４０、音声制御部３５０、照明制御部３６０および可動体制御部３７０の少なくとも１つに送信する。このとき、サブＲＡＭ３３０ｃは、サブＣＰＵ３３０ａの演算処理時におけるデータのワークエリアとして機能する。
【００６８】
画像制御部３４０は、演出表示装置２００の演出表示部２００ａに画像を表示させる画像表示制御を行うものであり、ＣＰＵ、ＲＯＭ、ＲＡＭ、ＶＲＡＭを備えている。画像制御部３４０のＲＯＭには、演出表示部２００ａに表示される図柄や背景等の画像データが多数格納されており、副制御基板３３０に設けられたサブＣＰＵ３３０ａから送信されたコマンドに基づいて、ＣＰＵが、画像データをＲＯＭからＶＲＡＭに読み出して、演出表示部２００ａの画像表示を制御する。
【００６９】
音声制御部３５０は、サブＣＰＵ３３０ａから送信されたコマンドに基づいて、音声出力装置２０６から音声を出力させる音声出力制御を行う。また、照明制御部３６０は、副制御基板３３０から送信されるコマンドに基づいて、演出照明装置２０４および演出役物装置２０２に設けられた光源を点灯させる点灯制御を行う。さらに、照明制御部３６０は、上前昇降役物装置６に設けられた光源および下前昇降役物装置８に設けられた光源を点灯させる点灯制御を行う。照明制御部３６０は、演出照明装置２０４、上後可動役物装置２０２ａ、下後可動役物装置２０２ｂおよび下部可動役物装置２０２ｃのそれぞれに設けられた光源を個々に独立して制御できる。
【００７０】
可動体制御部３７０は、サブＣＰＵ３３０ａから送信されたコマンドに基づいて、演出役物装置２０２を可動したり、演出操作装置２０８の押下ボタン２０８ａを遊技者側に飛び出させて可動したりする動作制御を行う。また、可動体制御部３７０は、押下ボタン２０８ａが押下操作されたことを検出するボタン操作検出スイッチ２０８ｓの入力操作されたことを検知する操作検出信号が入力された際に、所定のコマンドあるいは制御信号をサブＣＰＵ３３０ａに送信する。
【００７１】
可動体制御部３７０は、サブＣＰＵ３３０ａから送信されたコマンドに基づいて、上前昇降ユニット７を制御して上前昇降役物装置６を昇降させたり、下前昇降ユニット９を制御して下前昇降役物装置８を昇降させたり、上前昇降役物装置６の一部を可動したり、下前昇降役物装置８の一部を可動したり、下部可動役物装置２０２ｃの左側装飾部材２０２ｃ１および右側装飾部材２０２ｃ２を開閉したりする。可動体制御部３７０は、上後可動役物装置２０２ａ、下後可動役物装置２０２ｂ、下部可動役物装置２０２ｃ、上前昇降役物装置６、下前昇降役物装置８および下部可動役物装置２０２ｃを個々に独立して制御できる。
【００７２】
図４に示すように、演出操作装置４は、入力操作部４１の引き金部が操作されたことを検出するトリガ操作検出スイッチ４ｓを有している。可動体制御部３７０は、演出操作装置４を遊技者に操作させる操作演出を実行している際に、トリガ操作検出スイッチ４ｓが操作されたことを検出する操作検出信号が入力された場合に、所定のコマンドあるいは制御信号をサブＣＰＵ３３０ａに送信する。当該所定のコマンドあるいは制御信号を受信したサブＣＰＵ３３０ａは、跳ね上げ動作を入力操作部４１に実行させるためのコマンドを可動体制御部３７０に送信する。当該コマンドを受信した可動体制御部３７０は、昇降部４２に収容された駆動機構を制御するためのコマンドを演出操作装置４に送信するようになっている。副制御基板３３０は、演出操作装置４を遊技者に操作させる操作演出を実行している場合にトリガ操作検出スイッチ４ｓから操作検出信号を受け入れるように構成されている。
【００７３】
なお、各基板には、不図示の電源基板が接続されており、電源基板を介して商用電源から各基板に電力供給がなされている。また、電源基板にはコンデンサからなるバックアップ電源が設けられている。
【００７４】
次に、本実施形態の遊技機１００における遊技について簡単に説明する。
前述したように、本実施形態の遊技機１００は、特別遊技と普通遊技の２種類の遊技が並行して進行するものであり、これら両遊技を進行する際の遊技状態として、低確率遊技状態または高確率遊技状態のいずれかの遊技状態と、非時短遊技状態または時短遊技状態のいずれかの遊技状態とが組み合わされたいずれかの遊技状態にて遊技が進行する。
【００７５】
各遊技状態の詳細な説明は省略するが、低確率遊技状態というのは、第１大入賞口１２６および第２大入賞口１２８が開放される大役遊技を実行する権利獲得の確率が低く設定された遊技状態であり、高確率遊技状態というのは、大役遊技を実行する権利獲得の確率が高く設定された遊技状態である。
【００７６】
また、非時短遊技状態というのは、可動片１２２ａが開状態になりにくく、第２始動口１２２に遊技球が入球しにくい遊技状態であり、時短遊技状態というのは、非時短遊技状態よりも可動片１２２ａが開状態になりやすく、第２始動口１２２に遊技球が入球しやすい遊技状態である。なお、遊技機１００の初期状態は、低確率遊技状態および非時短遊技状態に設定され、この遊技状態を本実施形態では通常遊技状態と称する。
【００７７】
遊技者が操作ハンドル１１２を操作して遊技領域１１６に遊技球を発射させるとともに、遊技領域１１６を流下する遊技球が第１始動口１２０または第２始動口１２２に入球すると、大役抽選が行われる。この大役抽選において、大当たりに当選すると、第１大入賞口１２６（または第２大入賞口１２８）が開放されるとともに第１大入賞口１２６（または第２大入賞口１２８）への遊技球の入球が可能となる大役遊技が実行される。以下では、大役抽選方法について説明する。
【００７８】
なお、詳細な説明は省略するが、第１始動口１２０または第２始動口１２２に遊技球が入球すると、この入球を契機に大役抽選に用いられる種々の乱数（大当たり決定乱数、当たり図柄乱数、リーチグループ決定乱数、リーチモード決定乱数、変動パターン乱数）の乱数値が取得されるとともに、これら各乱数値がメインＲＡＭ３００ｃの特図保留記憶領域（乱数記憶手段の一例）に記憶される。以下では、第１始動口１２０に遊技球が入球して特図保留記憶領域に記憶された種々の乱数を総称して特１保留とよび、第２始動口１２２に遊技球が入球して特図保留記憶領域に記憶された種々の乱数を総称して特２保留とよぶ。
【００７９】
メインＲＡＭ３００ｃの特図保留記憶領域は、第１特図保留記憶領域と第２特図保留記憶領域とを備えている。第１特図保留記憶領域および第２特図保留記憶領域は、それぞれ４つの記憶部（第１〜第４記憶部）を有している。そして、第１始動口１２０に遊技球が入球すると、特１保留を第１特図保留記憶領域の第１記憶部から順に記憶し、第２始動口１２２に遊技球が入球すると、特２保留を第２特図保留記憶領域の第１記憶部から順に記憶する。例えば、第１始動口１２０に遊技球が入球したとき、第１特図保留記憶領域の第１〜第４記憶部のいずれにも保留が記憶されていない場合には、第１記憶部に特１保留を記憶する。また、例えば、第１記憶部〜第３記憶部に特１保留が記憶されている状態で、第１始動口１２０に遊技球が入球した場合には、特１保留を第４記憶部に記憶する。なお、第２始動口１２２に遊技球が入球した場合にも、上記と同様に、第２特図保留記憶領域の第１記憶部〜第４記憶部の中で、特２保留が記憶されていない、最も番号（序数）の小さい記憶部に特２保留が記憶される。
【００８０】
ただし、第１特図保留記憶領域および第２特図保留記憶領域に記憶可能な特１保留数（Ｘ１）および特２保留数（Ｘ２）は、それぞれ４つに設定されている。したがって、例えば、第１始動口１２０に遊技球が入球したときに、第１特図保留記憶領域に既に４つの特１保留が記憶されている場合には、当該第１始動口１２０への遊技球の入球によって新たに特１保留が記憶されることはない。同様に、第２始動口１２２に遊技球が入球したときに、第２特図保留記憶領域に既に４つの特２保留が記憶されている場合には、当該第２始動口１２２への遊技球の入球によって新たに特２保留が記憶されることはない。
【００８１】
上述のとおり、遊技機１００では、第１始動口１２０または第２始動口１２２（図３参照）への遊技球の入球を契機とする特別遊技と、ゲート１２４（図３参照）への遊技球の通過または作動口１１９（図３参照）への遊技球の入球を契機とする普通遊技とが、同時並行して進行する。特別遊技に係る処理は、段階的に、かつ、繰り返し実行される。同様に、遊技機１００では、ゲート１２４への遊技球の通過または作動口１１９への遊技球の入球を契機とする普通遊技に係る処理が、段階的に、かつ、繰り返し実行される。
【００８２】
遊技機１００では、主制御基板３００に設けられたメインＣＰＵ３００ａは、特別遊技に係る各処理および普通遊技に係る各処理を、ＣＰＵ初期化処理（詳細な説明は省略する）に所定の周期（本実施形態では４ミリ秒、以下「ミリ秒」を「ｍｓ」と表記する）で割り込むタイマ割込み処理において実行する。メインＣＰＵ３００ａは、このタイマ割込み処理における特別遊技に係る処理や普通遊技に係る処理の結果の情報を含むコマンドを副制御基板３３０に送信する。メインＣＰＵ３００ａは、例えば大役抽選の抽選結果の情報を含むコマンドや当該抽選結果を報知するために特別図柄を変動表示するための変動時間（変動パターン）の情報を含むコマンドなどを副制御基板３３０に送信する。
【００８３】
遊技機１００では、副制御基板３３０に設けられたサブＣＰＵ３３０ａは、サブＣＰＵ初期化処理（詳細な説明は省略する）に所定の周期（本実施形態では例えば２ｍｓ）でタイマ割込み処理プログラムを読み込んで当該サブタイマ割込み処理を実行する。サブＣＰＵ３３０ａは、サブタイマ割込み処理において、主制御基板３００から送信されるコマンドに基づいて、演出表示部２００ａに表示する演出図柄２１０ａ，２１０ｂ，２１０ｃの変動演出の表示パターン、上前昇降役物装置６、下前昇降役物装置８および演出照明装置２０４のそれぞれの動作パターンなどを決定する。さらに、サブＣＰＵ３３０ａは、サブタイマ割込み処理において、決定した動作パターンなどの情報を含む種々のコマンドを作成し、画像制御部３４０、音声制御部３５０、照明制御部３６０および可動体制御部３７０のうちの対応する制御部にこれらのコマンドを送信する。
【００８４】
下前昇降役物装置８は、上前昇降役物装置６と類似の構成を有し、同様の駆動原理で左可動部８２、第一中可動部８３、第二中可動部８４および右可動部８５（後述する図２１参照）を駆動するようになっている。また、下前昇降ユニット９は、上前昇降ユニット７と類似の構成を有し、同様の駆動原理で下前昇降役物装置８の昇降を制御するようになっている。このため、以下、昇降役物装置および当該昇降役物装置の昇降を制御する昇降ユニットについて、上前昇降役物装置６および上前昇降ユニット７を例にとって説明する。
【００８５】
（上前昇降役物装置および上前昇降ユニットの全体構成）
次に、本実施形態による遊技機１００に設けられた上前昇降役物装置６および上前昇降ユニット７の全体構成について図５から図１５を用いて説明する。図５は、待機位置に配置された上前昇降役物装置６および上前昇降ユニット７の正面図および背面図である。図５（ａ）は、待機位置に配置された上前昇降役物装置６および上前昇降ユニット７の正面図であり、図５（ｂ）は、待機位置に配置された上前昇降役物装置６および上前昇降ユニット７の背面図である。図６は、待機位置に配置された上前昇降役物装置６および上前昇降ユニット７を示す図である。図６（ａ）は、右斜め上方から見た、待機位置に配置された上前昇降役物装置６および上前昇降ユニット７の正面斜視図であり、図６（ｂ）は、左斜め上方から見た、待機位置に配置された上前昇降役物装置６および上前昇降ユニット７の背面斜視図である。
【００８６】
図７は、無電力保持位置に配置された上前昇降役物装置６および上前昇降ユニット７の正面図および背面図である。図７（ａ）は、無電力保持位置に配置された上前昇降役物装置６および上前昇降ユニット７の正面図であり、図７（ｂ）は、無電力保持位置に配置された上前昇降役物装置６および上前昇降ユニット７の背面図である。図８は、無電力保持位置に配置された上前昇降役物装置６および上前昇降ユニット７を示す図である。図８（ａ）は、右斜め上方から見た、無電力保持位置に配置された上前昇降役物装置６および上前昇降ユニット７の正面斜視図であり、図８（ｂ）は、左斜め上方から見た、無電力保持位置に配置された上前昇降役物装置６および上前昇降ユニット７の背面斜視図である。
【００８７】
図９は、移動限界位置に配置された上前昇降役物装置６および上前昇降ユニット７の正面図および背面図である。図９（ａ）は、移動限界位置に配置された上前昇降役物装置６および上前昇降ユニット７の正面図であり、図９（ｂ）は、移動限界位置に配置された上前昇降役物装置６および上前昇降ユニット７の背面図である。図１０は、移動限界位置に配置された上前昇降役物装置６および上前昇降ユニット７を示す図である。図１０（ａ）は、右斜め上方から見た、移動限界位置に配置された上前昇降役物装置６および上前昇降ユニット７の正面斜視図であり、図１０（ｂ）は、左斜め上方から見た、移動限界位置に配置された上前昇降役物装置６および上前昇降ユニット７の背面斜視図である。図５および図７では、理解を容易にするため、左駆動カバー部品７１７Ｌおよび右駆動カバー部品７１７Ｒの図示が省略されている。
【００８８】
図５、図６、図９および図１０に示すように、遊技機１００は、待機位置（第一位置の一例。図５および図６参照）と移動限界位置（第二位置の一例。図９および図１０参照）に移動可能に設けられた上前昇降役物装置（移動役物装置の一例）６と、上前昇降役物装置６の両側に設けられて上前昇降役物装置６の移動を制御可能な上前昇降ユニット（移動制御ユニットの一例）７とを備えている。上前昇降ユニット７は、上前昇降役物装置６の左側に設けられた左昇降装置７０Ｌと、上前昇降役物装置６の右側に設けられた右昇降装置７０Ｒとを有している。上前昇降役物装置６は、左昇降装置７０Ｌおよび右昇降装置７０Ｒによって挟まれて移動可能に設けられている。本実施形態では、上前昇降役物装置６は、上前昇降ユニット７によって昇降、すなわち上下方向に移動するようになっている。ここで、左右、上下および前後は、上前昇降役物装置６及び上前昇降ユニット７を遊技機１００に取り付けた場合に、遊技者から見て、遊技者の左手側を「左」、右手側を「右」、上側を「上」、下側を「下」、遊技者側を「「前」または「正面」」および遊技者と反対側を「「後ろ」、「背面」または「裏」」とする。
【００８９】
図７および図８に示すように、遊技機１００は、待機位置および移動限界位置の間の無電力保持位置（第三位置の一例）に電気的動力を使用せずに上前昇降役物装置６を保持可能な左保持部材（保持部材の一例）５Ｌおよび右保持部材（保持部材の一例）５Ｒを備えている。左保持部材５Ｌおよび右保持部材５Ｒは、上前昇降ユニット７に取り付けられている。左保持部材５Ｌは、左昇降装置７０Ｌに取り付けられている。右保持部材５Ｒは、右昇降装置７０Ｒのそれぞれに取り付けられている。以下、左保持部材５Ｌおよび右保持部材５Ｒを区別することなく説明する場合に、左保持部材５Ｌおよび右保持部材５Ｒを総称して「保持部材５」と称する場合がある。保持部材５は、上前昇降ユニット７に移動可能に設けられている。
【００９０】
左昇降装置７０Ｌは、上前昇降役物装置６を移動（すなわち昇降）させる左駆動機構７１Ｌと、左駆動機構７１Ｌから下方に延在して設けられた左支柱ベース部７３Ｌと、上前昇降役物装置６が移動可能に取り付けられる左メインシャフト７４Ｌとを有している。左メインシャフト７４Ｌは、左支柱ベース部７３Ｌよりも前側に配置されている。右昇降装置７０Ｒは、上前昇降役物装置６を移動（すなわち昇降）させる右駆動機構７１Ｒと、右駆動機構７１Ｒから下方に延在して設けられた右支柱ベース部７３Ｒと、上前昇降役物装置６が移動可能に取り付けられる右メインシャフト７４Ｒとを有している。右メインシャフト７４Ｒは、右支柱ベース部７３Ｒよりも前側に配置されている。
【００９１】
左メインシャフト７４Ｌは、左支柱ベース部７３Ｌが延在する方向と同じ方向に延在させて左支柱ベース部７３Ｌに設けられている。右メインシャフト７４Ｒは、右支柱ベース部７３Ｒが延在する方向と同じ方向に延在させて右支柱ベース部７３Ｒに設けられている。左メインシャフト７４Ｌと右メインシャフト７４Ｒは、ほぼ平行に配置されている。上前昇降役物装置６は、左メインシャフト７４Ｌおよび右メインシャフト７４Ｒを摺動可能な状態で左昇降装置７０Ｌおよび右昇降装置７０Ｒに取り付けられている。このため、上前昇降役物装置６は、移動（昇降）方向が左メインシャフト７４Ｌおよび右メインシャフト７４Ｒの延在方向に規制される。
【００９２】
図５（ａ）に示すように、左昇降装置７０Ｌは、左駆動機構７１Ｌの直下に設けられた左センサ７６Ｌを有している。左センサ７６Ｌは、上前昇降役物装置６が待機位置に配置されているか否かを検出する装置である。右昇降装置７０Ｒは、右駆動機構７１Ｒの直下に設けられた右センサ７６Ｒを有している。右センサ７６Ｒは、左センサ７６Ｌとともに、上前昇降役物装置６が待機位置に配置されているか否かを検出する装置である。
【００９３】
左保持部材５Ｌは左メインシャフト７４Ｌに取り付けられている。右保持部材５Ｒは右メインシャフト７４Ｒに取り付けられている。左保持部材５Ｌおよび右保持部材５Ｒは、上前昇降役物装置６の待機位置および移動限界位置との間であって、待機位置に配置された上前昇降役物装置６の下方に位置するように設けられている。このため、図７（ａ）および図８（ａ）に示すように、上前昇降ユニット７に制御されて上前昇降役物装置６が移動限界位置に向かって移動している場合に、保持部材５は、上前昇降役物装置６と接触可能な場所に設けられている。
【００９４】
図５（ｂ）に示すように、左昇降装置７０Ｌは、左保持部材５Ｌの移動を制御する左保持駆動機構７８Ｌを有している。左保持駆動機構７８Ｌは、左昇降装置７０Ｌの裏側で左支柱ベース部７３Ｌに設けられている。左保持駆動機構７８Ｌは、所定条件を満たさない場合には無電力保持位置で左保持部材５Ｌを保持するようになっている。本実施形態では、当該所定条件は、左駆動機構７１Ｌによって駆動された上前昇降役物装置６によって下向きの力を受けることである。右昇降装置７０Ｒは、右保持部材５Ｒの移動を制御する右保持駆動機構７８Ｒを有している。右保持駆動機構７８Ｒは、右昇降装置７０Ｒの裏側で右支柱ベース部７３Ｒに設けられている。右保持駆動機構７８Ｒは、所定条件を満たさない場合には無電力保持位置で右保持部材５Ｒを保持するようになっている。本実施形態では、当該所定条件は、右駆動機構７１Ｒによって駆動された上前昇降役物装置６によって下向きの力を受けることである。
【００９５】
このため、保持部材５は、上前昇降役物装置６が左駆動機構７１Ｌおよび右駆動機構７１Ｒによって駆動されていなければ、上前昇降役物装置６を無電力保持位置で支持することができる。詳細は後述するが、保持部材５は、左保持駆動機構７８Ｌに設けられた左弾性部材７８１Ｌの弾性力と、右保持駆動機構７８Ｒに設けられた右弾性部材７８１Ｒの弾性力とによって上前昇降役物装置６を無電力保持位置で保持するようになっている。
【００９６】
換言すると、保持部材５は、上前昇降役物装置６が無電力保持位置に移動した後に左駆動機構７１Ｌおよび右駆動機構７１Ｒの制御が解除されても、上前昇降役物装置６を無電力保持位置で保持できる。無電力保持位置は、遊技盤１０８の開口部１０８ｃ（図３参照）の中央上寄りの位置である。このため、無電力保持位置は、遊技中に遊技者の視界に最も入りやすい位置である。遊技機１００は、遊技中の遊技者の視界に最も入りやすい位置に、電力を供給せずに上前昇降役物装置６を保持できる。これにより、遊技機１００は、低消費電力化を図ることができる。ところで、従来の遊技機では、遊技盤の開口部の中央に演出役物装置を保持するために電力を必要としている。これに対し、遊技機１００は、無電力保持位置に上前昇降役物装置６を保持するために電力を必要としないので、当該電力を他の演出に用いることできる。これにより、遊技機１００は、より多彩な演出を実行することができるので、遊技者の遊技に対する興趣の向上を図ることができる。
【００９７】
上前昇降役物装置６が左駆動機構７１Ｌおよび右駆動機構７１Ｒによって制御されて無電力保持位置よりも下方に移動する場合、保持部材５は、上前昇降役物装置６とともに下方に移動する。保持部材５は、上前昇降役物装置６の下側に配置されている。このため、図９および図１０に示すように、左保持部材５Ｌは、左昇降装置７０Ｌの下部と上前昇降役物装置６との間に挟まれて配置され、右保持部材５Ｒは、右昇降装置７０Ｒの下部と上前昇降役物装置６との間に挟まれて配置される。これにより、保持部材５は、移動限界位置において上前昇降役物装置６が左昇降装置７０Ｌの下部および右昇降装置７０Ｒの下部に衝突することを防止できる。また、保持部材５は、上前昇降役物装置６が移動限界位置に到達したときに左昇降装置７０Ｌおよび右昇降装置７０Ｒのそれぞれの下部からの衝撃を吸収する緩衝材としての機能も発揮するようになっている。
【００９８】
（上前昇降ユニットの構成）
次に、本実施形態による遊技機１００に設けられた上前昇降ユニット７の詳細な構成について、図５から図１０を参照しつつ図１１から図１５を用いて説明する。図１１は、上前昇降ユニット７に設けられた左駆動機構７１Ｌおよび右駆動機構７１Ｒの近傍を示す拡大図である。図１１（ａ）は、左昇降装置７０Ｌに設けられた左駆動機構７１Ｌの近傍を示し、図１１（ｂ）は、右昇降装置７０Ｒに設けられた右駆動機構７１Ｒの近傍を示している。図１２は、左昇降装置７０Ｌに設けられた左駆動機構７１Ｌの近傍を示す拡大斜視図である。図１２（ａ）は、上前昇降役物装置６が待機位置に配置されている場合の左駆動機構７１Ｌの近傍を示し、図１２（ｂ）は、上前昇降役物装置６が待機位置に配置されていない場合の左駆動機構７１Ｌの近傍を示している。図１３は、上前昇降ユニット７に設けられた左駆動機構７１Ｌおよび右駆動機構７１Ｒの近傍を拡大して示す側面図である。図１３（ａ）は、左昇降装置７０Ｌに設けられた左駆動機構７１Ｌの近傍を示す左側面図であり、図１３（ｂ）は、右昇降装置７０Ｒに設けられた右駆動機構７１Ｒの近傍を示す右側面図である。
【００９９】
図１４および図１５は、保持部材５、左保持駆動機構７８Ｌおよび右保持駆動機構７８Ｒの概略構成を説明する図である。図１４（ａ）は、無電力保持位置に配置された左保持部材５Ｌの近傍を拡大して示す正面図であり、図１４（ｂ）は、無電力保持位置に配置された左保持部材５Ｌの近傍を拡大して示す正面斜視図であり、図１４（ｃ）は、左保持駆動機構７８Ｌを拡大して示す正面図である。図１５（ａ）は、上前昇降役物装置６が待機位置に配置されている場合の左保持駆動機構７８Ｌを拡大して示す正面斜視図であり、図１５（ｂ）は、上前昇降役物装置６が移動限界位置に配置されている場合の左保持駆動機構７８Ｌを拡大して示す正面斜視図であり、図１５（ｃ）は、上前昇降役物装置６が移動限界位置に配置されている場合の左保持駆動機構７８Ｌを拡大して示す正面図である。図１１から図１５では、理解を容易にするため、上前昇降ユニット７に設けられた構成部品の一部の図示が省略されている。
【０１００】
図１１（ａ）に示すように、左昇降装置７０Ｌに設けられた左駆動機構７１Ｌは、左駆動ベース部品７１６Ｌを有している。左駆動機構７１Ｌは、左駆動ベース部品７１６Ｌの裏面側から取り付けられた左昇降モータ７１１Ｌ（図５参照）を有している。さらに、左駆動機構７１Ｌは、左駆動ベース部品７１６Ｌの前側に設けられて左昇降モータ７１１Ｌの動力を伝達する左ギア群７１２Ｌを有している。
【０１０１】
左ギア群７１２Ｌは、左昇降モータ７１１Ｌのシャフト７１１Ｌａに取り付けられた左モータギア７１２Ｌａと、左モータギア７１２Ｌａに噛み合わせて設けられた左アイドルギア７１２Ｌｂとを有している。左モータギア７１２Ｌａは、平ギアで構成されている。左アイドルギア７１２Ｌｂは、ダブルギア型の平ギアで構成されている。
【０１０２】
左駆動機構７１Ｌは、左アイドルギア７１２Ｌｂに噛み合わされた状態で左駆動ベース部品７１６Ｌに設けられた左駆動プーリー７１３Ｌを有している。左駆動プーリー７１３Ｌは、左駆動ベース部品７１６Ｌに回転自在に取り付けられている。左駆動プーリー７１３Ｌは、左駆動ベース部品７１６Ｌに対向する側とは反対側に左アイドルギア７１２Ｌｂに噛み合されたギア部７１３Ｌａと、側面に形成されたギア部（不図示）とを有している。これにより、左駆動プーリー７１３Ｌは、左アイドルギア７１２Ｌｂが回転すると左アイドルギア７１２Ｌｂとは逆方向に回転する。左駆動機構７１Ｌは、左ギア群７１２Ｌおよび左駆動プーリー７１３Ｌを覆って左駆動ベース部品７１６Ｌの前側に配置される左駆動カバー部品７１７Ｌ（図１２参照）を有している。左ギア群７１２Ｌおよび左駆動プーリー７１３Ｌは、左駆動ベース部品７１６Ｌおよび左駆動カバー部品７１７Ｌによって形成される空間に配置される。左駆動機構７１Ｌは、左駆動ベース部品７１６Ｌおよび左駆動カバー部品７１７Ｌによって形成される空間に左ギア群７１２Ｌおよび左駆動プーリー７１３Ｌを収容することにより、遊技機１００の動作中に左ギア群７１２Ｌや左駆動プーリー７１３Ｌに異物が挟まることを防止できる。
【０１０３】
左支柱ベース部７３Ｌは、左駆動機構７１Ｌが設けられている端部と反対側の端部に回転自在に取り付けられた左従動プーリー（不図示）を有している。当該左従動プーリーは、左駆動プーリー７１３Ｌと同様に側面に形成されたギア部を有している。左従動プーリーの側面のギア部は、左駆動プーリー７１３Ｌの側面のギア部と同じピッチに形成されている。
【０１０４】
左駆動機構７１Ｌは、環状に形成された左ベルト７１５Ｌを有している。左ベルト７１５Ｌは歯付きベルトである。左ベルト７１５Ｌに形成された歯部は、左駆動プーリー７１３Ｌおよび左従動プーリーのそれぞれの側面のギア部と噛み合うピッチに形成されている。左ベルト７１５Ｌは、歯付き面側を左駆動プーリー７１３Ｌおよび左従動プーリーのそれぞれの側面に向けた状態で左駆動プーリー７１３Ｌおよび左従動プーリーに引掛けられている。左ベルト７１５Ｌは、左駆動プーリー７１３Ｌと左従動プーリーとの間に張り渡されて取り付けられている。左駆動プーリー７１３Ｌおよび左従動プーリーは、左ベルト７１５Ｌの両端に配置され、所定の張力を左ベルト７１５Ｌに加えるようになっている。左ベルト７１５Ｌは、左駆動プーリー７１３Ｌが回転すると、左駆動プーリー７１３Ｌの側面のギア部に歯部を噛み合わせながら左駆動プーリー７１３Ｌの回転方向と同方向に回転する。また、左ベルト７１５Ｌが回転することによって、左従動プーリーも左ベルト７１５Ｌに噛み合いながら左ベルト７１５Ｌの回転方向と同方向に回転する。これにより、左ベルト７１５Ｌは、左駆動プーリー７１３Ｌおよび左従動プーリーとの間に張り渡された状態で回転することができる。
【０１０５】
左駆動機構７１Ｌは、左ベルト７１５Ｌに固定された左スライド部品７１４Ｌを有している。左スライド部品７１４Ｌは、左ベルト７１５Ｌを挟持する挟持部７１４Ｌａを有している。左スライド部品７１４Ｌは、挟持部７１４Ｌａによって左ベルト７１５Ｌに固定される。左スライド部品７１４Ｌは、左メインシャフト７４Ｌに取り付けられるための取付部７１４Ｌｂを有している。取付部７１４Ｌｂは、左メインシャフト７４Ｌに摺動可能に設けられている。左スライド部品７１４Ｌは、左ベルト７１５Ｌが一方の方向に回転（例えば右回転）すると、左メインシャフト７４Ｌを摺動して下方向に移動する。一方、左スライド部品７１４Ｌは、左ベルト７１５Ｌが他方の方向に回転（例えば左回転）すると、左メインシャフト７４Ｌを摺動して上方向に移動する。上前昇降役物装置６の左端部は左スライド部品７１４Ｌに固定されている。このため、左スライド部品７１４Ｌが下方向に移動すると上前昇降役物装置６が下降し、左スライド部品７１４Ｌが上方向に移動すると上前昇降役物装置６が上昇する。
【０１０６】
図１１（ｂ）に示すように、右昇降装置７０Ｒに設けられた右駆動機構７１Ｒは、右駆動ベース部品７１６Ｒを有している。右駆動機構７１Ｒは、右駆動ベース部品７１６Ｒの裏面側から取り付けられた右昇降モータ７１１Ｒ（図５参照）を有している。さらに、右駆動機構７１Ｒは、右駆動ベース部品７１６Ｒの前側に設けられて右昇降モータ７１１Ｒの動力を伝達する右ギア群７１２Ｒを有している。
【０１０７】
右ギア群７１２Ｒは、右昇降モータ７１１Ｒのシャフト７１１Ｒａに取り付けられた右モータギア７１２Ｒａと、右モータギア７１２Ｒａに噛み合わせて設けられた右アイドルギア７１２Ｒｂとを有している。右モータギア７１２Ｒａは、平ギアで構成されている。右アイドルギア７１２Ｒｂは、ダブルギア型の平ギアで構成されている。
【０１０８】
右駆動機構７１Ｒは、右アイドルギア７１２Ｒｂに噛み合わされた状態で右駆動ベース部品７１６Ｒに設けられた右駆動プーリー７１３Ｒを有している。右駆動プーリー７１３Ｒは、右駆動ベース部品７１６Ｒに回転自在に取り付けられている。右駆動プーリー７１３Ｒは、右駆動ベース部品７１６Ｒに対向する側とは反対側に右アイドルギア７１２Ｒｂに噛み合されたギア部７１３Ｒａと、側面に形成されたギア部（不図示）とを有している。これにより、右駆動プーリー７１３Ｒは、右アイドルギア７１２Ｒｂが回転すると右アイドルギア７１２Ｒｂとは逆方向に回転する。右駆動機構７１Ｒは、右ギア群７１２Ｒおよび右駆動プーリー７１３Ｒを覆って右駆動ベース部品７１６Ｒの前側に配置される右駆動カバー部品７１７Ｒ（図６参照）を有している。右ギア群７１２Ｒおよび右駆動プーリー７１３Ｒは、右駆動ベース部品７１６Ｒおよび右駆動カバー部品７１７Ｒによって形成される空間に配置される。右駆動機構７１Ｒは、右駆動ベース部品７１６Ｒおよび右駆動カバー部品７１７Ｒによって形成される空間に右ギア群７１２Ｒおよび右駆動プーリー７１３Ｒを収容することにより、遊技機１００の動作中に右ギア群７１２Ｒや右駆動プーリー７１３Ｒに異物が挟まることを防止できる。
【０１０９】
右支柱ベース部７３Ｒは、右駆動機構７１Ｒが設けられている端部と反対側の端部に回転自在に取り付けられた右従動プーリー（不図示）を有している。右従動プーリーは、右駆動プーリー７１３Ｒと同様に側面に形成されたギア部を有している。右従動プーリーの側面のギア部は、右駆動プーリー７１３Ｒの側面のギア部と同じピッチに形成されている。
【０１１０】
右駆動機構７１Ｒは、環状に形成された右ベルト７１５Ｒを有している。右ベルト７１５Ｒは歯付きベルトである。右ベルト７１５Ｒに形成された歯部は、右駆動プーリー７１３Ｒおよび右従動プーリーのそれぞれの側面のギア部と噛み合うピッチに形成されている。右ベルト７１５Ｒは、歯付き面側を右駆動プーリー７１３Ｒおよび右従動プーリーのそれぞれの側面に向けた状態で右駆動プーリー７１３Ｒおよび右従動プーリーに引掛けられている。右ベルト７１５Ｒは、右駆動プーリー７１３Ｒと右従動プーリーとの間に張り渡されて取り付けられている。右駆動プーリー７１３Ｒおよび右従動プーリーは、右ベルト７１５Ｒの両端に配置され、所定の張力を右ベルト７１５Ｒに加えるようになっている。右ベルト７１５Ｒは、右駆動プーリー７１３Ｒが回転すると、右駆動プーリー７１３Ｒの側面のギア部に歯部を噛み合わせながら右駆動プーリー７１３Ｒの回転方向と同方向に回転する。また、右ベルト７１５Ｒが回転することによって、右従動プーリーも右ベルト７１５Ｒに噛み合いながら右ベルト７１５Ｒの回転方向と同方向に回転する。これにより、右ベルト７１５Ｒは、右駆動プーリー７１３Ｒおよび右従動プーリーとの間に張り渡された状態で回転することができる。
【０１１１】
右駆動機構７１Ｒは、右ベルト７１５Ｒに固定された右スライド部品７１４Ｒを有している。右スライド部品７１４Ｒは、右ベルト７１５Ｒを挟持する挟持部７１４Ｒａを有している。右スライド部品７１４Ｒは、挟持部７１４Ｒａによって右ベルト７１５Ｒに固定される。右スライド部品７１４Ｒは、右メインシャフト７４Ｒに取り付けられるための取付部７１４Ｒｂを有している。取付部７１４Ｒｂは、右メインシャフト７４Ｒに摺動可能に設けられている。右スライド部品７１４Ｒは、右ベルト７１５Ｒが一方の方向に回転（例えば左回転）すると、右メインシャフト７４Ｒを摺動して下方向に移動する。一方、右スライド部品７１４Ｒは、右ベルト７１５Ｒが他方の方向に回転（例えば右回転）すると、右メインシャフト７４Ｒを摺動して上方向に移動する。上前昇降役物装置６の右端部は右スライド部品７１４Ｒに固定されている。このため、右スライド部品７１４Ｒが下方向に移動すると上前昇降役物装置６が下降し、右スライド部品７１４Ｒが上方向に移動すると上前昇降役物装置６が上昇する。
【０１１２】
左昇降モータ７１１Ｌのシャフト７１１Ｌａおよび右昇降モータ７１１Ｒのシャフト７１１Ｒａは、互いに同一の形状を有している。左モータギア７１２Ｌａおよび右モータギア７１２Ｒａは、互いに同一の形状を有している。左アイドルギア７１２Ｌｂおよび右アイドルギア７１２Ｒｂは、互いに同一の形状を有している。左駆動プーリー７１３Ｌおよび右駆動プーリー７１３Ｒは、互いに同一の形状を有している。さらに、左従動プーリーおよび右従動プーリーは、互いに同一の形状を有している。このため、左昇降モータ７１１Ｌのシャフト７１１Ｌａおよび右昇降モータ７１１Ｒのシャフト７１１Ｒａが同一の回転速度で反対方向に回転することにより、左スライド部品７１４Ｌおよび右スライド部品７１４Ｒは、同じ速度で同じ距離だけ上昇または下降する。これにより、上前昇降役物装置６は、水平な状態を維持したまま上昇または下降することができる。
【０１１３】
左昇降装置７０Ｌに設けられた左センサ７６Ｌと、右昇降装置７０Ｒに設けられた右センサ７６Ｒとは、同様の構成によって上前昇降役物装置６が待機位置に配置されているか否かを検出するようになっている。そこで、左センサ７６Ｌおよび右センサ７６Ｒの構成について、左センサ７６Ｌを例に図１２を用いて説明する。
【０１１４】
図１２に示すように、左センサ７６Ｌは、外部（例えば副制御基板３３０（図４参照））と電気的に接続される基板７６１Ｌと、基板７６１Ｌに設けられ上前昇降役物装置６の位置を検出する検出部７６２Ｌとを有している。基板７６１Ｌは、例えば左センサ７６Ｌに電力を供給したり検出部７６２Ｌで検出された検出信号を外部に出力したりする。
【０１１５】
図１２（ｂ）に示すように、検出部７６２Ｌは、所定の間隙を設けて対向配置された発光部７６２Ｌａおよび受光部７６２Ｌｂを有している。発光部７６２Ｌａは、遊技機１００の動作中に受光部７６２Ｌｂが配置された方向に向かって光を発光し続けている。受光部７６２Ｌｂは、遊技機１００の動作中に発光部７６２Ｌａが発光する光を受光可能な状態にある。
【０１１６】
図１２（ａ）に示すように、上前昇降役物装置６が待機位置に配置されている場合、上前昇降役物装置６に設けられた遮光板６００が検出部７６２Ｌの発光部７６２Ｌａ（図１２では不図示）と受光部７６２Ｌｂとの間に配置される。この場合、受光部７６２Ｌｂは、発光部７６２Ｌａが発光する光を受光できない。このため、左センサ７６Ｌは、受光部７６２Ｌｂが光を受光していない情報を含む信号を副制御基板３３０に送信する。その結果、副制御基板３３０に設けられたサブＣＰＵ３３０ａ（図４参照）は、上前昇降役物装置６が待機位置に配置されていると判定する。
【０１１７】
一方、図１２（ｂ）に示すように、上前昇降役物装置６が待機位置に配置されていない場合、上前昇降役物装置６に設けられた遮光板６００は、検出部７６２Ｌの発光部７６２Ｌａと受光部７６２Ｌｂとの間に配置されない。この場合、受光部７６２Ｌｂは、発光部７６２Ｌａが発光する光を受光できる。このため、左センサ７６Ｌは、受光部７６２Ｌｂが光を受光している情報を含む信号を副制御基板３３０に送信する。その結果、副制御基板３３０に設けられたサブＣＰＵ３３０ａは、上前昇降役物装置６が待機位置に配置されていないと判定する。
【０１１８】
右センサ７６Ｒも左センサ７６Ｌと同様の構成および方法により、上前昇降役物装置６が待機位置に配置されているか否かを検出できる。上前昇降役物装置６が下方から移動して待機位置に戻ってきた場合（すなわち左センサ７６Ｌの検出部７６２Ｌと右センサ７６Ｒの検出部（不図示）が光を検出しなくなった場合）、サブＣＰＵ３３０ａは、左センサ７６Ｌおよび右センサ７６Ｒのそれぞれの検出部が光を検出しなくなると直ちに上前昇降役物装置６の移動を停止せずに、所定期間だけ継続して上昇するように上前昇降役物装置６を制御する。このため、遮光板６００は、中央寄りの部分で左センサ７６Ｌの発光部７６２Ｌａが発光した光を遮光できる。同様に、上前昇降役物装置６の右側に設けられた遮光板（不図示）は、中央寄りの部分で右センサ７６Ｒの発光部が発光した光を遮光できる。これにより、遊技機１００は、上前昇降役物装置６を待機位置に確実に戻すことができる。さらに、上前昇降役物装置６が待機位置に配置されている場合に、遊技機１００に振動などが加えられて上前昇降役物装置６と上前昇降ユニット７との相対位置がずれたとしても、上前昇降役物装置６に設けられた遮光板は、左センサ７６Ｌおよび右センサ７６Ｒのそれぞれの発光部が発光した光を遮光し続けることができる。その結果、遊技機１００は、上前昇降役物装置６が待機位置に配置されている場合に遊技機１００に振動などが加えられたとしても、上前昇降役物装置６が待機位置に配置されていないと判定するという誤認を防止できる。
【０１１９】
図５（ｂ）および図１２に示すように、左昇降装置７０Ｌは、左センサ７６Ｌが配置された領域近傍の裏側に左ストッパ部７７Ｌを有している。同様に、図５（ｂ）に示すように、右昇降装置７０Ｒは、右センサ７６Ｒが配置された領域近傍の裏側に右ストッパ部７７Ｒを有している。左ストッパ部７７Ｌおよび右ストッパ部７７Ｒは、左駆動機構７１Ｌおよび右駆動機構７１Ｒに電力が供給されていない場合（昇降モータの無励磁時）に上前昇降役物装置６を待機位置に保持するための構成要素である。そこで、左ストッパ部７７Ｌおよび右ストッパ部７７Ｒの構成について図１３を用いて説明する。図１３（ａ）は、上前昇降役物装置６が待機位置に配置されている場合の左昇降装置７０Ｌの左側面であって左ストッパ部７７Ｌの近傍を示す図である。図１３（ｂ）は、上前昇降役物装置６が待機位置に配置されている場合の右昇降装置７０Ｒの右側面であって右ストッパ部７７Ｒの近傍を示す図である。図１３（ａ）では、理解を容易にするため、左昇降装置７０Ｌおよび上前昇降役物装置６の一部が透過して図示されている。
【０１２０】
図１３（ａ）に示すように、左ストッパ部７７Ｌは、所定範囲で回転可能に設けられたストッパリンク７７１Ｌと、ストッパリンク７７１Ｌの回転動作を制御するソレノイド７７２Ｌと、ストッパリンク７７１Ｌとソレノイド７７２Ｌとを連結する連結部７７３Ｌとを有している。左ストッパ部７７Ｌは、ストッパリンク７７１Ｌ、ソレノイド７７２Ｌおよび連結部７７３Ｌを覆うカバー部７７４Ｌを有している。ストッパリンク７７１Ｌは、上前昇降役物装置６を支持する支持部７７１Ｌａと、回転動作の回転軸となる軸部７７１Ｌｂとを有している。ストッパリンク７７１Ｌは、軸部７７１Ｌｂにおいて折れ曲がるＬ字形状を有している。支持部７７１Ｌａは、連結部７７３Ｌと反対側の端部が前側に向かって突出する鉤爪状を有している。支持部７７１Ｌａの鉤爪状の端部は、カバー部７７４Ｌが配置されている側とは反対側に突出している。
【０１２１】
上前昇降役物装置６は、支持部７７１Ｌａの鉤爪状の端部によって受けられるストッパ受部６０１Ｌを有している。ストッパ受部６０１Ｌは、左ストッパ部７７Ｌが配置されている側に向かって突出する突起形状を有している。上前昇降役物装置６が待機位置に配置されている場合、左ストッパ部７７Ｌは、ストッパ受部６０１Ｌの下方から支持部７７１Ｌａでストッパ受部６０１Ｌを受けて上前昇降役物装置６を支持するようになっている。
【０１２２】
図１３（ｂ）に示すように、右ストッパ部７７Ｒは、所定範囲で回転可能に設けられたストッパリンク７７１Ｒと、ストッパリンク７７１Ｒの回転動作を制御するソレノイド７７２Ｒと、ストッパリンク７７１Ｒとソレノイド７７２Ｒとを連結する連結部（不図示）とを有している。右ストッパ部７７Ｒは、ストッパリンク７７１Ｒ、ソレノイド７７２Ｒおよび連結部を覆うカバー部７７４Ｒを有している。ストッパリンク７７１Ｒは、上前昇降役物装置６を支持する支持部７７１Ｒａと、支持部７７１Ｒａの回転動作の回転軸となる軸部（不図示）とを有している。ストッパリンク７７１Ｒは、ストッパリンク７７１Ｌと同じＬ字形状を有している。支持部７７１Ｒａは、連結部と反対側の端部が前側に向かって突出する突起状を有している。支持部７７１Ｒａの鉤爪状の端部は、カバー部７７４Ｒが配置されている側とは反対側に突出している。
【０１２３】
上前昇降役物装置６は、支持部７７１Ｒａの鉤爪状の端部によって受けられるストッパ受部６０１Ｒを有している。ストッパ受部６０１Ｒは、右ストッパ部７７Ｒが配置されている側に向かって突出する突起形状を有している。上前昇降役物装置６が待機位置に配置されている場合、右ストッパ部７７Ｒは、ストッパ受部６０１Ｒの下方から支持部７７１Ｒａでストッパ受部６０１Ｒを受けて上前昇降役物装置６を支持するようになっている。
【０１２４】
上前昇降役物装置６が待機位置に配置されている状態で、ソレノイド７７２Ｌが上方に移動すると、ソレノイド７７２Ｌの動作が連結部７７３Ｌを介してストッパリンク７７１Ｌに伝達される。ストッパリンク７７１Ｌは、ソレノイド７７２Ｌが上方に移動することによって、軸部７７１Ｌｂを回転軸として支持部７７１Ｌａの鉤爪状の端部がカバー部７７４Ｌ側に向かって回転移動する。これにより、支持部７７１Ｌａが上前昇降役物装置６のストッパ受部６０１Ｌの下方から退避する。同様に、上前昇降役物装置６が待機位置に配置されている状態で、ソレノイド７７２Ｒが上方に移動すると、ソレノイド７７２Ｒの動作が連結部を介してストッパリンク７７１Ｒに伝達される。ストッパリンク７７１Ｒは、ソレノイド７７２Ｒが上方に移動することによって、軸部を回転軸として支持部７７１Ｒａの鉤爪状の端部がカバー部７７４Ｒ側に向かって回転移動する。これにより、支持部７７１Ｒａが上前昇降役物装置６のストッパ受部６０１Ｒの下方から退避する。
【０１２５】
上前昇降役物装置６が待機位置に配置されている状態で、左駆動機構７１Ｌの左昇降モータ７１１Ｌおよび右駆動機構７１Ｒの右昇降モータ７１１Ｒを停止励磁した後に支持部７７１Ｌａ，７７１Ｒａをストッパ受部６０１Ｌ，６０１Ｒの下方から退避すると、上前昇降役物装置６は待機位置で保持される。以下、可動体を所定位置に停止した状態または可動体を所定形状に保つためのモータの励磁を「停止励磁」と称する場合がある。このため、上前昇降ユニット７は、支持部７７１Ｌａ，７７１Ｒａをストッパ受部６０１Ｌ，６０１Ｒの下方から退避した後に、左駆動機構７１Ｌおよび右駆動機構７１Ｒの動作に基づいて上前昇降役物装置６を降下させることができる。また、上前昇降役物装置６が待機位置に配置されている状態で、左駆動機構７１Ｌの左昇降モータ７１１Ｌおよび右駆動機構７１Ｒの右昇降モータ７１１Ｒを励磁せずに支持部７７１Ｌａ，７７１Ｒａをストッパ受部６０１Ｌ，６０１Ｒの下方から退避すると、上前昇降役物装置６は待機位置で待機し続けることができない。これにより、上前昇降役物装置６は自由落下によって降下する。このように、遊技機１００は、実行中の演出に応じて上前昇降役物装置６の落下態様を変更することができるので、遊技者の遊技に対する興趣の向上を図ることができる。
【０１２６】
次に、保持部材５および保持部材５の保持駆動機構について図５から図１０を参照しつつ図１４および図１５を用いて説明する。
図１４に示すように、左保持部材５Ｌは、前側に配置される第一本体部５１Ｌと、裏側に配置される第二本体部５２Ｌ（図１４（ｃ）参照）と、第一本体部５１Ｌの両端部に設けられた上円筒部５３Ｌａおよび下円筒部５３Ｌｂとを有している。図１４（ｃ）に示すように、第二本体部５２Ｌは、ねじＳ１，Ｓ２によって第一本体部５１Ｌにねじ止めされている。第一本体部５１Ｌは、第二本体部５２Ｌが配置される側が開放された直方体状の箱形状を有している。上円筒部５３Ｌａは、第一本体部５１Ｌの長手方向の一端部を貫通して形成されている。下円筒部５３Ｌｂは、第一本体部５１Ｌの長手方向の他端部を貫通して形成されている。
【０１２７】
第二本体部５２Ｌが第一本体部５１Ｌの開放端を塞いだ状態で第一本体部５１Ｌにねじ止めされると、左保持部材５Ｌの内部には、上円筒部５３Ｌａおよび下円筒部５３Ｌｂと連通する空間が形成される。上円筒部５３Ｌａおよび下円筒部５３Ｌｂは、左メインシャフト７４Ｌを挿入可能な大きさに形成されている。このため、図１４（ａ）および図１４（ｂ）に示すように、左保持部材５Ｌは、上円筒部５３Ｌａおよび下円筒部５３Ｌｂを挿入口および挿出口とし、上円筒部５３Ｌａおよび下円筒部５３Ｌｂと連通する左保持部材５Ｌの空間を挿通部として左メインシャフト７４Ｌに取り付けられる。第一本体部５１Ｌの前側には開口部５１１Ｌが形成されている。開口部５１１Ｌによって左保持部材５Ｌ内での左メインシャフト７４Ｌの挿入状態を確認できる。
【０１２８】
左保持部材５Ｌは、第二本体部５２Ｌのから突出して形成された遮光板５４Ｌを有している。詳細は後述するが、遮光板５４Ｌは、左保持部材５Ｌの位置検出に用いられる。
【０１２９】
図１４（ｃ）および図１５に示すように、左保持部材５Ｌの保持および移動を制御する左保持駆動機構７８Ｌについて説明する。左保持駆動機構７８Ｌは、左保持部材５Ｌを無電力保持位置に保持したり、無電力保持位置よりも下方に移動した左保持部材５Ｌを無電力保持位置に戻したりすることができるように構成されている。
【０１３０】
図１４（ｃ）および図１５に示すように、左保持駆動機構７８Ｌは、一端部に左保持部材５Ｌが取り付けられ、他端部が左支柱ベース部７３Ｌに固定された左弾性部材７８１Ｌを有している。また、左保持駆動機構７８Ｌは、左支柱ベース部７３Ｌに回転可能に設けられた左従動プーリー７８２Ｌを有している。また、左保持駆動機構７８Ｌは、左弾性部材７８１Ｌの他端部を左支柱ベース部７３Ｌに固定するための左固定部材７８３Ｌを有している。さらに、左保持駆動機構７８Ｌは、左保持部材５Ｌの移動を案内する案内部７８４Ｌを有している。
【０１３１】
案内部７８４Ｌは、左支柱ベース部７３Ｌを貫通して形成された長孔形状を有している。案内部７８４Ｌは、左支柱ベース部７３Ｌの長手方向に延在する長孔形状を有している。左従動プーリー７８２Ｌ側の案内部７８４Ｌの端部７８４Ｌａが形成された位置が無電力保持位置となる。左保持部材５Ｌは、第一本体部５１Ｌの開放端側が案内部７８４Ｌに挿入された状態で当該開放端に第二本体部５２Ｌを接触させてねじ止めすることにより、左支柱ベース部７３Ｌに対して移動可能に取り付けられている。左保持部材５Ｌは、案内部７８４Ｌの長手方向の周縁部を第一本体部５１Ｌおよび第二本体部５２Ｌで挟んだ状態で左支柱ベース部７３Ｌに取り付けられている。これにより、左保持部材５Ｌは、左昇降装置７０Ｌの短手方向の移動が規制された状態で案内部７８４Ｌに案内され、左昇降装置７０Ｌの長手方向に沿って円滑に移動できる。また、左保持部材５Ｌは、案内部７８４Ｌの長手方向の両端部によって左支柱ベース部７３Ｌの長手方向の移動範囲が規制される。
【０１３２】
左弾性部材７８１Ｌは、例えばコイルばねで構成されている。左弾性部材７８１Ｌの一端部は、ねじＳ１によって左保持部材５Ｌの第二本体部５２Ｌに固定されている。つまり、ねじＳ１は、第二本体部５２Ｌを第一本体部５１Ｌにねじ止めするとともに、左弾性部材７８１Ｌを第二本体部５２Ｌにねじ止めするために用いられている。左固定部材７８３Ｌは、左支柱ベース部７３Ｌから突出して形成された円柱形状を有している。左弾性部材７８１Ｌの他端部は、左固定部材７８３Ｌを挿入可能な円環状に形成されている。左弾性部材７８１Ｌは、円環状の他端部に左固定部材７８３Ｌを挿入させた状態で左固定部材７８３Ｌに固定されている。こうして、左弾性部材７８１Ｌは、左支柱ベース部７３Ｌに取り付けられている。
【０１３３】
左従動プーリー７８２Ｌは、無電力保持位置よりも上方（左駆動機構７１Ｌ側）に配置されている（図５（ｂ）参照）。左弾性部材７８１Ｌは、左従動プーリー７８２Ｌに引っ掛けられた状態で、一端部が案内部７８４Ｌに取り付けられた左保持部材５Ｌに固定され、他端部が左固定部材７８３Ｌに固定される。これにより、図１４（ｃ）に示すように、左弾性部材７８１Ｌは、左従動プーリー７８２Ｌを挟んで左従動プーリー７８２Ｌの両側下方に両端部が配置されるように設けられる。
【０１３４】
右保持部材５Ｒは、左保持部材５Ｌと同様の構成を有し、同様の作用・機能を発揮するようになっている。右保持駆動機構７８Ｒは、左保持駆動機構７８Ｌと同様の構成を有し、同様の作用・機能を発揮するようになっている。右保持駆動機構７８Ｒは、左弾性部材７８１Ｌに対応する右弾性部材７８１Ｒと、左従動プーリー７８２Ｌに対応する右従動プーリー７８２Ｒと、左固定部材７８３Ｌに対応する右固定部材７８３Ｒとを有している（図５、図７および図９参照）。
【０１３５】
左弾性部材７８１Ｌは、左保持部材５Ｌが無電力保持位置に配置された状態でも自然長よりも伸長した状態になっている。このため、左保持部材５Ｌは、左弾性部材７８１Ｌの弾性力によって左従動プーリー７８２Ｌ側に引っ張られ、案内部７８４Ｌの端部７８４Ｌａに接触した状態（以下、「初期配置状態」と称する場合がある）で無電力保持位置に支持される。また、右保持部材５Ｒが、右弾性部材７８１Ｒの弾性力によって右従動プーリー７８２Ｒ側に引っ張られ、右従動プーリー７８２Ｒ側の案内部７８４Ｒの端部７８４Ｒａに接触した状態（図６参照）も「初期配置状態」と称する場合がある。無電力状態の上前昇降役物装置６が、初期配置状態にある左保持部材５Ｌおよび右保持部材５Ｒに接触した状態で無電力保持位置に配置されると、左保持部材５Ｌおよび右保持部材５Ｒには、次のような力が印加される。左保持部材５Ｌには、左弾性部材７８１Ｌによる上向き（左駆動機構７１Ｌが設けられている側に向かう方向）の弾性力、上前昇降役物装置６の重量に基づく下向き（左固定部材７８３Ｌが設けられている側に向かう方向）の力、および下向きの重力が印加される。右保持部材５Ｒには、右弾性部材７８１Ｒによる上向き（右駆動機構７１Ｒが設けられている側に向かう方向）の弾性力、上前昇降役物装置６の重量に基づく下向き（右固定部材７８３Ｒが設けられている側に向かう方向）の力、および下向きの重力が印加される。左弾性部材７８１Ｌは、上前昇降役物装置６および重力が左保持部材５Ｌに印加する下向きの力以上の弾性力を左保持部材５Ｌに印加できるように構成されている。同様に、右弾性部材７８１Ｒは、上前昇降役物装置６および重力が右保持部材５Ｒに印加する下向きの力以上の弾性力が右保持部材５Ｒに印加できるように構成されている。左弾性部材７８１Ｌの上向きの弾性力が上前昇降役物装置６および重力による下向きの力よりも大きい場合には、左保持部材５Ｌは、案内部７８４Ｌの端部７８４Ｌａに接触して上方向への移動が規制される。同様に、右弾性部材７８１Ｒの上向きの弾性力が上前昇降役物装置６および重力による下向きの力よりも大きい場合には、右保持部材５Ｒは、案内部７８４Ｒの端部７８４Ｒａに接触して上方向への移動が規制される。このため、左保持部材５Ｌおよび右保持部材５Ｒは、無電力状態の上前昇降役物装置６を無電力保持位置に保持できる。ここで、上前昇降役物装置６が無電力状態にある場合は、左駆動機構７１Ｌおよび右駆動機構７１Ｒに電力が供給されていない場合、すなわち左昇降モータ７１１Ｌおよび右昇降モータ７１１Ｒが励磁されていない場合である。このように、保持部材５は、電気的動力を使用せずに左弾性部材７８１Ｌおよび右弾性部材７８１Ｒの弾性力によって上前昇降役物装置６を無電力保持位置に保持できる。
【０１３６】
左保持部材５Ｌおよび右保持部材５Ｒが案内部７８４Ｌおよび案内部７８４Ｒの範囲で移動した場合に左弾性部材７８１Ｌおよび右弾性部材７８１Ｒに生じる弾性力は、左昇降モータ７１１Ｌおよび右昇降モータ７１１Ｒの動作に基づく上前昇降役物装置６に生じる下方向の力よりも小さい。このため、図１５（ｂ）および図１５（ｃ）に示すように、上前昇降役物装置６が左駆動機構７１Ｌおよび右駆動機構７１Ｒによって駆動されて移動限界位置に到達した場合（図１５では上前昇降役物装置６の遮光板６００のみが図示されている）、左弾性部材７８１Ｌおよび右弾性部材７８１Ｒ（図１５では不図示）は、無電力保持位置よりも伸びて弾性変形した状態となる。このため、上前昇降役物装置６が移動限界位置において、左駆動機構７１Ｌおよび右駆動機構７１Ｒへの電力の供給が停止され、左昇降モータ７１１Ｌおよび右昇降モータ７１１Ｒが励磁されていない状態（無電力状態）になったとする。そうすると、左保持部材５Ｌは、左弾性部材７８１Ｌの弾性力によって上方に移動する。同様に、右保持部材５Ｒは、右弾性部材７８１Ｒの弾性力によって上方に移動する。上前昇降役物装置６が移動限界位置において左弾性部材７８１Ｌおよび右弾性部材７８１Ｒに生じる弾性力は、左駆動機構７１Ｌおよび右駆動機構７１Ｒの無電力状態における上前昇降役物装置６が保持部材５に印加する下向きの力よりも大きい。このため、上前昇降役物装置６が移動限界位置において左駆動機構７１Ｌおよび右駆動機構７１Ｒが無電力状態となると、左保持部材５Ｌおよび右保持部材５Ｒは、案内部７８４Ｌ，７８４Ｒの端部７８４Ｌａ，７８４Ｒａに向かって移動するとともに、上前昇降役物装置６を上方に跳ね上げる。これにより、遊技機１００は、少なくとも移動限界位置から無電力保持位置まで上前昇降役物装置６を移動するときに電力を必要としないため、低消費電力化を図ることができる。また、保持部材５は、左駆動機構７１Ｌおよび右駆動機構７１Ｒが移動限界位置から無電力保持位置まで上前昇降役物装置６を移動する速度よりも速い速度で、上前昇降役物装置６を移動することができる。これにより、遊技機１００は、上前昇降役物装置６の移動速度のバリエーションが増加して多彩な演出を実行することができ、遊技者の遊技に対する興趣の向上を図ることができる。
【０１３７】
このように、保持部材５は、上前昇降役物装置６が上前昇降ユニット７から供給される電気的動力で制御されていない場合には上前昇降役物装置６を無電力保持位置に保持可能であり、上前昇降役物装置６が上前昇降ユニット７から供給される電気的動力で制御されている場合には上前昇降役物装置６を無電力保持位置に保持不可能である。
【０１３８】
図１４（ｃ）および図１５に示すように、左昇降装置７０Ｌは、左従動プーリー７８２Ｌの下方に設けられ、左保持部材５Ｌが無電力保持位置に配置されているか否かを検出する左保持センサ７９Ｌを有している。左保持センサ７９Ｌは、左保持部材５Ｌの位置を検出する検出部７９１Ｌを有している。
【０１３９】
図１５（ａ）および図１５（ｂ）に示すように、検出部７９１Ｌは、所定の間隙を設けて対向配置された発光部７９１Ｌａおよび受光部７９１Ｌｂを有している。発光部７９１Ｌａは、遊技機１００の動作中に受光部７９１Ｌｂが配置された方向に向かって光を発光し続けている。受光部７９１Ｌｂは、遊技機１００の動作中に発光部７９１Ｌａが発光する光を受光可能な状態にある。
【０１４０】
図１４（ｃ）および図１５（ａ）に示すように、左保持部材５Ｌが無電力保持位置に配置されている場合、左保持部材５Ｌに設けられた遮光板５４Ｌが検出部７９１Ｌの発光部７９１Ｌａ（図１４（ｃ）では不図示）と受光部７９１Ｌｂとの間に配置される。この場合、受光部７９１Ｌｂは、発光部７９１Ｌａが発光する光を受光できない。このため、左保持センサ７９Ｌは、受光部７９１Ｌｂが光を受光していない情報を含む信号を副制御基板３３０に送信する。その結果、副制御基板３３０に設けられたサブＣＰＵ３３０ａ（図４参照）は、左保持部材５Ｌが無電力保持位置に配置されていると判定する。
【０１４１】
一方、図１５（ｂ）および図１５（ｃ）に示すように、左保持部材５Ｌが無電力保持位置に配置されていない場合、左保持部材５Ｌに設けられた遮光板５４Ｌは、検出部７９１Ｌの発光部７９１Ｌａ（図１５（ｃ）では不図示）と受光部７９１Ｌｂとの間に配置されない。この場合、受光部７９１Ｌｂは、発光部７９１Ｌａが発光する光を受光できる。このため、左保持センサ７９Ｌは、受光部７９１Ｌｂが光を受光している情報を含む信号を副制御基板３３０に送信する。その結果、副制御基板３３０に設けられたサブＣＰＵ３３０ａは、左保持部材５Ｌが無電力保持位置に配置されていないと判定する。
【０１４２】
左保持部材５Ｌが上前昇降役物装置６とともに下方から移動して無電力保持位置に戻ってきた場合（すなわち左保持センサ７９Ｌの検出部７９１Ｌが光を検出しなくなった場合）、サブＣＰＵ３３０ａは、左保持センサ７９Ｌの検出部７９１Ｌが光を検出しなくなると直ちに上前昇降役物装置６の移動を停止せずに、所定期間だけ継続して上昇するように上前昇降役物装置６を制御する。このため、遮光板５４Ｌは、中央寄りの部分で左保持センサ７９Ｌの発光部７９１Ｌａが発光した光を遮光できる。これにより、遊技機１００は、左保持部材５Ｌを無電力保持位置に確実に戻すことができる。さらに、左保持部材５Ｌが無電力保持位置に配置されている場合に、遊技機１００に振動などが加えられて左保持部材５Ｌと左保持センサ７９Ｌとの相対位置がずれたとしても、遮光板５４Ｌは、左保持センサ７９６Ｌの発光部７９６Ｌａが発光した光を遮光し続けることができる。その結果、遊技機１００は、左保持部材５Ｌが無電力保持位置に配置されている場合に遊技機１００に振動などが加えられたとしても、左保持部材５Ｌが無電力保持位置に配置されていないと判定するという誤認を防止できる。
【０１４３】
図５（ｂ）および図１０（ｂ）に示すように、右昇降装置７０Ｒは、右従動プーリー７８２Ｒの下方に設けられ、右保持部材５Ｒが無電力保持位置に配置されているか否かを検出する右保持センサ７９Ｒを有している。右保持センサ７９Ｒは、発光部７９１Ｒａおよび受光部７９１Ｒｂを有する光検出部７９１Ｒ（図１０（ｂ）参照）を有している。右保持センサ７９Ｒは、左保持センサ７９Ｌと同様の構成および方法により、右保持部材５Ｒが無電力保持位置に配置されているか否かを検出するようになっている。このため、右保持センサ７９Ｒの構成および位置検出方法の説明は省略する。なお、右保持センサ７９Ｒは、右保持部材５Ｒに設けられた遮光板５４Ｒを利用して右保持部材５Ｒの位置検出を行う。
【０１４４】
（上前昇降役物装置の構成）
次に、上前昇降役物装置６の詳細な構成について、図５から図１０を参照しつつ図１６から図１９を用いて説明する。図１６は、可動部が可動する前の上前昇降役物装置６を示す図である。図１６（ａ）は上前昇降役物装置６の正面図であり、図１６（ｂ）は上前昇降役物装置６の背面図である。図１７は、可動部が可動する前の上前昇降役物装置６を示す斜視図である。図１７（ａ）は右斜め上方から見た上前昇降役物装置６の正面斜視図であり、図１７（ｂ）は左斜め上方から見た上前昇降役物装置６の背面斜視図である。図１８は、可動部が可動した後の上前昇降役物装置６を示す図である。図１８（ａ）は上前昇降役物装置６の正面図であり、図１８（ｂ）は上前昇降役物装置６の背面図である。図１９は、可動部が可動した後の上前昇降役物装置６を示す斜視図である。図１９（ａ）は右斜め上方から見た上前昇降役物装置６の正面斜視図であり、図１９（ｂ）は左斜め上方から見た上前昇降役物装置６の背面斜視図である。図１６から図１９では、理解を容易にするため、上前昇降役物装置６に設けられた背面カバー部６０３（図５（ｂ）参照）などの構成部品の一部の図示が省略されている。
【０１４５】
図１６から図１９に示すように、上前昇降役物装置６は、本体部６１と、本体部６１に対して可動する左可動部６２と、本体部６１に対して可動する中可動部６３と、本体部６１に対して可動する右可動部６４とを有している。図５から図１０に示すように、本体部６１は、左昇降装置７０Ｌおよび右昇降装置７０Ｒに亘って設けられている。左可動部６２は、左昇降装置７０Ｌ側に設けられている。右可動部６４は、右昇降装置７０Ｒ側に設けられている。中可動部６３は、左可動部６２および右可動部６４の間に設けられている。
【０１４６】
図１６から図１９に戻って、左可動部６２は、本体部６１の前側に配置された可動前位置（図１６（ａ）および図１７（ａ））参照）と可動前位置に対して左回転（反時計回り）した可動後位置（図１８（ａ）および図１９（ａ）参照）に移動可能に本体部６１に取り付けられている。例えば、左可動部６２は、当該可動前位置から当該可動後位置まで移動可能に本体部６１に取り付けられていてもよい。中可動部６３は、本体部６１の前側に配置された可動前位置（図１６（ａ）および図１７（ａ））参照）と可動前位置に対して右回転（時計回り）しつつ上方に移動した可動後位置（図１７（ａ）参照）に移動可能に本体部６１に取り付けられている。例えば、中可動部６３は、当該可動前位置から当該可動後位置まで移動可能に本体部６１に取り付けられていてもよい。右可動部６４は、本体部６１の前側に配置された可動前位置（図１６（ａ）および図１７（ａ））参照）と可動前位置に対して左回転（反時計回り）しつつ右斜め上方に移動した可動後位置（図１８（ａ）および図１９（ａ）参照）に移動可能に本体部６１に取り付けられている。例えば、右可動部６４は、当該可動前位置から当該可動後位置まで移動可能に本体部６１に取り付けられていてもよい。以下、左可動部６２、中可動部６３および右可動部６４が可動前位置に配置された状態を「閉状態」と称し、左可動部６２、中可動部６３および右可動部６４が可動後位置に配置された状態を「開状態」と称する場合がある。
【０１４７】
図１６から図１９に示すように、本体部６１は、前側ベース部品６１１および後側ベース部品６１２を有している。前側ベース部品６１１は、左可動部６２、中可動部６３および右可動部６４の後側に配置されている。後側ベース部品６１２は、前側ベース部品６１１の左可動部６２、中可動部６３および右可動部６４が配置されていない側に配置されている。
【０１４８】
左可動部６２は、左装飾部品６２１（図１６（ａ）、図１７（ａ）、図１８（ａ）および図１９（ａ）参照）と、左装飾部品６２１に取り付けられて上前昇降役物装置６の後部に配置された左可動リンク６２２（図１６（ｂ）、図１７（ｂ）、図１８（ｂ）および図１９（ｂ）参照）とを有している。左装飾部品６２１は、前部に所定の装飾が施されている。以下、図１６（ａ）、図１７（ａ）、図１８（ａ）および図１９（ａ）を「図１６（ａ）から図１９（ａ）」と略記し、図１６（ｂ）、図１７（ｂ）、図１８（ｂ）および図１９（ｂ）を「図１６（ｂ）から図１９（ｂ）」と略記する場合がある。
【０１４９】
中可動部６３は、中装飾部品６３１（図１６（ａ）から図１９（ａ）参照）と、中装飾部品６３１に取り付けられて上前昇降役物装置６の後部に配置された中可動リンク６３２（図１６（ｂ）から図１９（ｂ）参照）とを有している。中装飾部品６３１は、前部に所定の装飾が施されている。
【０１５０】
右可動部６４は、右装飾部品６４１（図１６（ａ）から図１９（ａ）参照）と、右装飾部品６４１に取り付けられて上前昇降役物装置６の後部に配置された右可動リンク６４２（図１６（ｂ）から図１９（ｂ）参照）とを有している。右装飾部品６４１は、前部に所定の装飾が施されている。
【０１５１】
図１６（ｂ）から図１９（ｂ）に示すように、上前昇降役物装置６は、左可動部６２、中可動部６３および右可動部６４の開閉を駆動する開閉駆動機構６５を有している。
【０１５２】
図１６（ｂ）から図１９（ｂ）に示すように、上前昇降役物装置６に設けられた開閉駆動機構６５は、開閉モータ６５１と、開閉モータ６５１のシャフトに取り付けられたモータギア（不図示）とを有している。また、開閉駆動機構６５は、モータギアに噛み合わせて設けられたアイドルギア６５２と、アイドルギア６５２に噛み合せた設けられたカムギア６５３とを有している。モータギア、アイドルギア６５２およびカムギア６５３は、本体部６１に回転自在に取り付けられている。
【０１５３】
開閉駆動機構６５は、後側ベース部品６１２に対して左右方向に所定の範囲で移動可能に設けられたスライダ６５４を有している。また、開閉駆動機構６５は、スライダ６５４の移動によって所定範囲で回転動作する左本体リンク６５５ａ、中本体リンク６５５ｂおよび右本体リンク６５５ｃを有している。
【０１５４】
スライダ６５４は、中央上部に形成されて連結口６５４ａと、左側下部に形成された連結口６５４ｂと、右側下部に設けられた連結口６５４ｃとを有している。また、スライダ６５４は、連結口６５４ｂの右斜め上方に形成された連結口６５４ｄと、連結口６５４ｃの左斜め上方に形成された連結口６５４ｅと、スライダ６５４の右側端部に形成された連結口６５４ｆとを有している。連結口６５４ａ〜６５４ｆはそれぞれ、スライダ６５４を貫通して形成されている。
【０１５５】
連結口６５４ａは、スライダ６５４の移動方向（左右方向）に延在する領域（横長領域）と当該移動方向に直交する方向に延在する領域（縦長領域）とで構成された屈曲形状を有している。連結口６５４ａには、カムギア６５３に形成された突起部６５３ａが配置されている。詳細は後述するが、突起部６５３ａは、上前昇降役物装置６の開閉動作において連結口６５４ａの内壁面に接触しながら回転動作するようになっている。これにより、カムギア６５３の回転動作、すなわち開閉モータ６５１の動作をスライダ６５４に伝達することができる。
【０１５６】
連結口６５４ｂおよび連結口６５４ｃは、スライダ６５４の移動方向（左右方向）に延在する長孔形状を有している。連結口６５４ｂには、後側ベース部品６１２に形成された突起部６１２ａが配置されている。連結口６５４ｃには、後側ベース部品６１２に形成された突起部６１２ｂが配置されている。スライダ６５４は、連結口６５４ｂ，６５４ｃの長手方向の大きさの範囲内で左右方向に移動できる。スライダ６５４は、突起部６１２ａ，６１２ｂによって上下方向の移動が規制される。これにより、スライダ６５４は、連結口６５４ｂ，６５４ｃおよび突起部６１２ａ，６１２ｂによって上下方向へのブレが抑制された状態で左右方向に円滑に移動できる。
【０１５７】
連結口６５４ｄ、連結口６５４ｅおよび連結口６５４ｆは、スライダ６５４の移動方向（左右方向）に直交する方向に延在する長孔形状を有している。連結口６５４ｄには、左本体リンク６５５ａに形成された突起部ａＰが配置されている。連結口６５４ｅには、中本体リンク６５５ｂに形成された突起部ｂＰが配置されている。連結口６５４ｆには、右本体リンク６５５ｃに形成された突起部ｃＰが配置されている。これにより、スライダ６５４の左右方向の移動が左本体リンク６５５ａ、中本体リンク６５５ｂおよび右本体リンク６５５ｃに同時に伝達される。
【０１５８】
左本体リンク６５５ａは軸部ａＡ（図１６（ｂ）および図１７（ｂ）では不図示）を有し、中本体リンク６５５ｂは軸部ｂＡを有し、右本体リンク６５５ｃは軸部ｃＡを有している。スライダ６５４の左右方向の移動が伝達されることにより、左本体リンク６５５ａは軸部ａＡを回転軸として所定範囲で回転動作し、中本体リンク６５５ｂは軸部ｂＡを回転軸として所定範囲で回転動作し、右本体リンク６５５ｃは軸部ｃＡを回転軸として所定範囲で回転動作するようになっている。
【０１５９】
左本体リンク６５５ａは、周縁部に形成された連結口ａＨ（図１６（ｂ）および図１７（ｂ）では不図示）を有している。連結口ａＨは、左本体リンク６５５ａを貫通して形成されている。連結口ａＨは、軸部ａＡを中心とする放射方向に延在する長孔形状を有している。連結口ａＨには、左可動部６２の左可動リンク６２２に形成された突起部６２２ａが配置されている。これにより、左本体リンク６５５ａの回転動作が左可動部６２に伝達される。
【０１６０】
中本体リンク６５５ｂは、周縁部に形成された連結口ｂＨ（図１６（ｂ）および図１７（ｂ）では不図示）を有している。連結口ｂＨは、中本体リンク６５５ｂを貫通して形成されている。連結口ｂＨは、軸部ｂＡを中心とする放射方向に延在する長孔形状を有している。連結口ｂＨには、中可動部６３の中可動リンク６３２に形成された突起部６３２ａ（図１６（ｂ）および図１７（ｂ）では不図示）が配置されている。これにより、中本体リンク６５５ｂの回転動作が中可動部６３に伝達される。
【０１６１】
右本体リンク６５５ｃは、周縁部に形成された連結口ｃＨを有している。連結口ｃＨは、右本体リンク６５５ｃを貫通して形成されている。連結口ｃＨは、軸部ｃＡを中心とする放射方向に延在する長孔形状を有している。連結口ｃＨには、右可動部６４の中可動リンク６３２に形成された突起部６４２ａが配置されている。これにより、右本体リンク６５５ｃの回転動作が右可動部６４に伝達される。
【０１６２】
左本体リンク６５５ａ、中本体リンク６５５ｂおよび右本体リンク６５５ｃは、スライダ６５４の動作が同時に伝達される。このため、左本体リンク６５５ａから左可動部６２への動作の伝達、中本体リンク６５５ｂから中可動部６３への動作の伝達、および右本体リンク６５５ｃから右可動部６４への動作の伝達は、ほぼ同時となる。これより、左可動部６２、中可動部６３および右可動部６４は、ほぼ同時に閉状態から開状態に移行する。
【０１６３】
左可動リンク６２２に形成された突起部６２２ａは、後側ベース部品６１２に形成された案内口６１２ｃにも配置されている。左可動部６２および左本体リンク６５５ａは、後側ベース部品６１２を挟んで配置されている。このため、突起部６２２ａは、案内口６１２ｃを介して左本体リンク６５５ａの連結口ａＨに挿入して配置される。案内口６１２ｃは、左可動部６２が左本体リンク６５５ａに連動して動作する際に、突起部６２２ａの移動方向を規定する通路としての機能を発揮するようになっている。
【０１６４】
中可動リンク６３２に形成された突起部６３２ａは、後側ベース部品６１２に形成された案内口６１２ｄにも配置されている。中可動部６３および中本体リンク６５５ｂは、後側ベース部品６１２を挟んで配置されている。このため、突起部６３２ａは、案内口６１２ｄを介して中本体リンク６５５ｂの連結口ｂＨに挿入して配置される。案内口６１２ｄは、中可動部６３が中本体リンク６５５ｂに連動して動作する際に、突起部６３２ａの移動方向を規定する通路としての機能を発揮するようになっている。
【０１６５】
右可動リンク６４２に形成された突起部６４２ａは、後側ベース部品６１２に形成された案内口６１２ｅにも配置されている。右可動部６４および右本体リンク６５５ｃは、後側ベース部品６１２を挟んで配置されている。このため、突起部６４２ａは、案内口６１２ｅを介して右本体リンク６５５ｃの連結口ｃＨに挿入して配置される。案内口６１２ｅは、右可動部６４が右本体リンク６５５ｃに連動して動作する際に、突起部６４２ａの移動方向を規定する通路としての機能を発揮するようになっている。
【０１６６】
左可動部６２、中可動部６３および右可動部６４は、後側ベース部品６１２に形成された案内口６１２ｃ，６１２ｄ，６１２ｅによって移動方向が規制されるとともに案内される。このため、左可動部６２、中可動部６３および右可動部６４は、閉状態から開状態、または開状態から閉状態に円滑に移動できる。
【０１６７】
図１６から図１９に示すように、開閉駆動機構６５は、弾性部材６５６を有している。弾性部材６５６は、例えばコイルばねで構成されている。弾性部材６５６の一端部は、スライダ６５４に固定されている。弾性部材６５６の他端部は、後側ベース部品６１２に固定されている。このため、弾性部材６５６は、スライダ６５４が左寄りに配置されるほど伸長するので、大きい弾性力を発生させる。詳細は後述するが、上前昇降役物装置６は、弾性部材６５６に発生する弾性力を利用して、左可動部６２、中可動部６３および右可動部６４が閉状態から開状態に移行するようになっている。
【０１６８】
次に、上前昇降役物装置６の開閉動作について図１６から図１９を再び用いて説明する。
図１６および図１７に示すように、左可動部６２、中可動部６３および右可動部６４が可動前の閉状態にある場合、カムギア６５３は原点位置で停止状態にある。カムギア６５３が原点位置に停止しているか否かは、後側ベース部品６１２に設けられたセンサ部（不図示）によって検出される。この場合、開閉モータ６５１は停止励磁の状態であっても無励磁の状態であってもよい。カムギア６５３が原点位置に停止している場合、カムギア６５３の突起部６５３ａは、スライダ６５４の連結口６５４ａの内壁面に接触している。より具体的には、突起部６５３ａは、連結口６５４ａの縦長領域を画定する左側の内壁面に接触している。これにより、突起部６５３ａは、スライダ６５４を左寄り方向に押し出す。その結果、弾性部材６５６は伸長して弾性力を発生した状態で保持される。
【０１６９】
ここで、開閉モータ６５１が所定方向に所定速度で回転するために励磁され、開閉モータ６５１のシャフトが回転を開始すると、カムギア６５３は、モータギアおよびアイドルギア６５２を介して前側から見て右回り（図１６（ｂ）から図１９（ｂ）では左回り）に回転する。このとき、カムギア６５３は、突起部６５３ａの直径と同じ程度だけ回転する。これにより、カムギア６５３の突起部６５３ａが連結口６５４ａの縦長領域から横長領域に移動する。このため、突起部６５３ａはスライダ６５４の連結口６５４ａの内壁面に接触しなくなり、スライダ６５４は左向きの力を受けなくなる。その結果、弾性部材６５６は左方向に引っ張る力を受けなくなるため、伸長した状態から自然長の状態に戻る。これにより、スライダ６５４は、弾性部材６５６から右向きの力を与えられる。スライダ６５４が現在の位置に留まろうとする力（例えば後側ベース部品６１２との間で発生する摩擦力など）よりも弾性部材６５６が加える右向きの力の方が大きいので、スライダ６５４は右側に向かって移動する。
【０１７０】
スライダ６５４が右側に向かって移動すると、左本体リンク６５５ａは軸部ａＡを回転軸とし、中本体リンク６５５ｂは軸部ｂＡを回転軸とし、右本体リンク６５５ｃは軸部ｃＡを回転軸として、前側から見て右回り（図１６（ｂ）から図１９（ｂ）では左回り）にそれぞれ回転する。
【０１７１】
左本体リンク６５５ａ、中本体リンク６５５ｂおよび右本体リンク６５５ｃの回転動作は、左本体リンク６５５ａ、中本体リンク６５５ｂおよび右本体リンク６５５ｃのそれぞれの形状並びに左可動リンク６２２、中可動リンク６３２および右可動リンク６４２のそれぞれの形状などに起因する所定方向に移動させる力として左可動部６２、中可動部６３および右可動部６４に伝達される。ここで、左本体リンク６５５ａ、中本体リンク６５５ｂおよび右本体リンク６５５ｃのそれぞれの形状には、連結口ａＨ、連結口ｂＨおよび連結口ｃＨのそれぞれの形成位置や大きさが含まれる。また、左可動リンク６２２、中可動リンク６３２および右可動リンク６４２のそれぞれの形状には、突起部６２２ａ、突起部６３２ａおよび突起部６４２ａのそれぞれの形成位置や大きさが含まれる。その結果、図１８（ａ）及び図１９（ａ）に示すように、左可動部６２は、可動前位置から左回転（反時計回り）した可動後位置に移動し、中可動部６３は、可動前位置から右回転（時計回り）しつつ上方に移動した可動後位置に移動し、右可動部６４は、可動前位置から左回転（反時計回り）しつつ右斜め上方に移動した可動後位置に移動する。これにより、閉状態であった左可動部６２、中可動部６３および右可動部６４は開状態となる。
【０１７２】
左可動部６２、中可動部６３および右可動部６４は、開閉モータ６５１の駆動力ではなく、弾性部材６５６が伸長状態から自然長状態に戻る際の弾性力を利用して閉状態から開状態に移行する。すなわち、左可動部６２、中可動部６３および右可動部６４は、弾性部材の瞬発力を利用して閉状態から開状態に移行する。このため、左可動部６２、中可動部６３および右可動部６４の閉状態から開状態への変化は、一塊であった左装飾部品６２１、中装飾部品６３１および右装飾部品６４１が砕け散ったかのような態様を演出できる。
【０１７３】
左可動部６２、中可動部６３および右可動部６４が開状態になった後に、開閉モータ６５１は、左可動部６２、中可動部６３および右可動部６４を開状態にするために励磁された方向と同じ方向に励磁される。これにより、カムギア６５３は、モータギアおよびアイドルギア６５２を介して前側から見て右回り（図１６（ｂ）から図１９（ｂ）では左回り）に回転する。カムギア６５３は、連結口６５４ａの横長領域を左から右（図１６（ｂ）から図１９（ｂ）では右から左）に移動してその後、縦長領域に到達する。カムギア６５３は、連結口６５４ａの縦長領域を右から左（図１６（ｂ）から図１９（ｂ）では左から右）に移動し、連結口６５４ａの縦長領域を画定する左側の内壁面に接触した突起部６５３ａがスライダ６５４を左方向に押しながらさらに右から左に移行し、最終的に原点位置に戻ることによって停止する。これにより、左可動部６２、中可動部６３および右可動部６４は、開状態から閉状態に移行し、上前昇降役物装置６の一連の開閉動作が終了する。
【０１７４】
（上前昇降役物装置の演出態様例）
次に、本実施形態による遊技機１００に備えられた上前昇降役物装置６による演出態様の一例について図３および図２０から図２１を用いて説明する。図２０は、上前昇降役物装置６が移動限界位置に配置された状態の遊技盤１０８の正面図である。図２１は、上前昇降役物装置６が無電力保持位置に配置され、下前昇降役物装置８が移動限界位置に配置された状態の遊技盤１０８の正面図である。図２２は、上前昇降役物装置６および下前昇降役物装置８のそれぞれの可動部が開状態になった場合の遊技盤１０８の正面図である。図２０から図２２では、遊技盤１０８に設けられた第２始動口１２２の可動片１２２ａ、第１大入賞口１２６の開閉扉１２６ａ並びに第２大入賞口１２８および第２大入賞口１２８の開閉扉１２８ａの図示は省略されている。さらに、図２０から図２２では、各表示器１６０，１６２，１６４，１６６，１６８，１７０，１７２の図示が省略されている。
【０１７５】
サブＣＰＵ３３０ａ（図４参照）は、所定演出（例えば大当たりを報知するための変動演出中や大役遊技の連荘を報知する演出など）の実行中に上前昇降役物装置６を下降させるタイミングであると判断した場合、可動体制御部３７０（図４参照）に上前昇降役物装置６の可動開始を指示するコマンドを送信する。可動体制御部３７０は、サブＣＰＵ３３０ａから当該コマンドを受信すると、すでに受信していた上前昇降役物装置６を下降させるためのモータ動作テーブルに基づいて、上前昇降役物装置６の可動を開始する。
【０１７６】
可動体制御部３７０は、例えば上前昇降役物装置６を移動限界位置に下降させるために、上前昇降ユニット７に設けられた左駆動機構７１Ｌおよび右駆動機構７１Ｒ（図６参照）を制御する。これにより、図２０に示すように、上前昇降役物装置６が移動限界位置に移動する。このとき、可動体制御部３７０は、下前昇降役物装置８が待機位置に配置された状態を維持するように下前昇降ユニット（不図示）を制御する。その結果、上前昇降役物装置６の下部と下前昇降役物装置８の上部とが接触せず、上前昇降役物装置６および下前昇降役物装置８は所定の間隙を設けた状態で上下に並んで配置される。上前昇降役物装置６は、左駆動機構７１Ｌおよび右駆動機構７１Ｒが停止励磁となって移動限界位置に保持される。
【０１７７】
上前昇降役物装置６が移動限界位置に移動した後に所定の期間が経過すると、サブＣＰＵ３３０ａは、上前昇降役物装置６を無電力保持位置に移動させ、下前昇降役物装置８を移動限界位置に上昇させるタイミングであると判断し、可動体制御部３７０に上前昇降役物装置６および下前昇降役物装置８の可動開始を指示するコマンドを送信する。可動体制御部３７０は、サブＣＰＵ３３０ａから当該コマンドを受信すると、すでに受信していた上前昇降役物装置６および下前昇降役物装置８を上昇させるためのモータ動作テーブルに基づいて上前昇降役物装置６および下前昇降役物装置８の可動を開始する。
【０１７８】
可動体制御部３７０は、例えば上前昇降役物装置６を無電力保持位置に上昇させるために、上前昇降ユニット７に設けられた左駆動機構７１Ｌおよび右駆動機構７１Ｒを制御する。例えば、左駆動機構７１Ｌおよび右駆動機構７１Ｒは電力が供給されない状態となる。これにより、上前昇降役物装置６は、左保持駆動機構７８Ｌの左弾性部材７８１Ｌ（図１５（ｃ）参照）および右保持駆動機構７８Ｒの右弾性部材７８１Ｒ（図１０（ｂ）参照）の弾性力によって急上昇する。次いで、可動体制御部３７０は、例えば下前昇降役物装置８を移動限界位置に上昇させるために、下前昇降ユニット９に設けられた左駆動機構および右駆動機構（いずれも不図示）を制御する。これにより、図２１に示すように、上前昇降役物装置６は、保持部材５（図７（ａ）参照）によって保持されて無電力保持位置に配置される。この場合、左駆動機構７１Ｌおよび右駆動機構７１Ｒは、電力が供給されていない状態のまま維持される。一方、下前昇降役物装置８は、下前昇降ユニット９に設けられた左駆動機構および右駆動機構が停止励磁となって移動限界位置に保持される。上前昇降役物装置６は、無電力保持位置に保持されている場合には、遊技盤１０８の開口部１０８ｃの中央上寄りに配置される。また、下前昇降役物装置８は、移動限界位置に保持されている場合には、遊技盤１０８の開口部１０８ｃの中央下寄りに配置される。
【０１７９】
上前昇降役物装置６が無電力保持位置に移動し、下前昇降役物装置８が移動限界位置に移動した後に所定の期間が経過すると、サブＣＰＵ３３０ａは、演出操作装置４の操作によって上前昇降役物装置６および下前昇降役物装置８のそれぞれの可動部が砕け散る状態を模した演出（以下、「破壊模擬演出」と称する）を実行するタイミングであると判断し、可動体制御部３７０に上前昇降役物装置６および下前昇降役物装置８の可動開始を指示するコマンドを送信する。可動体制御部３７０は、サブＣＰＵ３３０ａから当該コマンドを受信すると、すでに受信して上前昇降役物装置６および下前昇降役物装置８による破壊模擬演出のためのモータ動作テーブルに基づいて上前昇降役物装置６および下前昇降役物装置８の可動を開始する。
【０１８０】
可動体制御部３７０は、例えば下前昇降役物装置８を移動限界位置と待機位置との間の位置に下降させるために、下前昇降ユニットに設けられた左駆動機構および右駆動機構を制御する。これにより、下前昇降役物装置８が移動限界位置と待機位置との間の位置に移動する。下前昇降役物装置８は、下前昇降ユニットに設けられた左駆動機構および右駆動機構が停止励磁となって当該位置に保持される。一方、上前昇降役物装置６は、無電力保持位置での保持状態が維持される。
【０１８１】
下前昇降役物装置８が移動限界位置と待機位置との間の位置に移動した後に所定の期間が経過すると、サブＣＰＵ３３０ａは、破壊模擬演出の一環として演出操作装置４の操作を促すために、上前昇降役物装置６および下前昇降役物装置８のそれぞれの可動部がわずかに揺れ動く演出を実行するタイミングであると判断し、可動体制御部３７０に上前昇降役物装置６および下前昇降役物装置８の可動部の可動開始を指示するコマンドを送信する。可動体制御部３７０は、サブＣＰＵ３３０ａから当該コマンドを受信すると、すでに受信して上前昇降役物装置６および下前昇降役物装置８の可動部を揺れ動かすためのモータ動作テーブルに基づいて上前昇降役物装置６および下前昇降役物装置８の可動部の可動を開始する。これにより、上前昇降役物装置６は、左可動部６２、中可動部６３および右可動部６４をわずかに揺れ動かす演出を開始し、下前昇降役物装置８は、左可動部８２、第一中可動部８３、第二中可動部８４および右可動部８５をわずかに揺れ動かす演出を開始する。
【０１８２】
上前昇降役物装置６および下前昇降役物装置８の可動部が揺れ動く演出に気づいて遊技者が演出操作装置４の操作（引き金を模した引き金部の操作）を実行するか、当該揺れ動く演出が開始されてから所定時間が経過すると、サブＣＰＵ３３０ａは、上前昇降役物装置６および下前昇降役物装置８の可動部が砕け散る状態を模した最終動作を実行するタイミングであると判断し、可動体制御部３７０に上前昇降役物装置６および下前昇降役物装置８の可動部の当該最終動作の実行を指示するコマンドを送信する。可動体制御部３７０は、サブＣＰＵ３３０ａから当該コマンドを受信すると、すでに受信して上前昇降役物装置６および下前昇降役物装置８の可動部の当該最終動作を実行するためのモータ動作テーブルに基づいて上前昇降役物装置６および下前昇降役物装置８の可動部の当該最終動作を開始する。
【０１８３】
上前昇降役物装置６は、可動体制御部３７０に制御されて、開閉モータ６５１（図１６（ｂ）参照）を励磁してシャフトを回転させる。これにより、カムギア６５３が回転してスライダ６５４のロック状態が解除されるので、左弾性部材７８１Ｌの弾性力によって、図２２に示すように、左可動部６２、中可動部６３および右可動部６４が砕け散ったかのように閉状態から開状態に移行する。下前昇降役物装置８は、上前昇降役物装置６と同時に可動体制御部３７０に制御され、上前昇降役物装置６と同様の駆動原理によって動作し、図２２に示すように、左可動部８２、第一中可動部８３、第二中可動部８４および右可動部８５が砕け散ったかのように閉状態から開状態に移行する。上前昇降役物装置６および下前昇降役物装置８のそれぞれの可動部が開状態に移行してから所定時間が経過すると、可動体制御部３７０は、破壊模擬演出のモータ駆動テーブルに基づいて、上前昇降役物装置６および下前昇降役物装置８のそれぞれの可動部を閉状態にするとともに、上前昇降役物装置６および下前昇降役物装置８が待機位置に戻るように上前昇降ユニット７および下前昇降ユニット９を制御する。これにより、図３に示すように、上前昇降役物装置６および下前昇降役物装置８は、待機位置に戻る。
【０１８４】
以上説明したように、本実施形態による遊技機１００は、待機位置と移動限界位置に移動可能に設けられた上前昇降役物装置６と、上前昇降役物装置６の両側に設けられて上前昇降役物装置６の移動を制御可能な上前昇降ユニット７と、待機位置及び移動限界位置の間の無電力保持位置に電気的動力を使用せずに上前昇降役物装置６を保持可能な保持部材５とを備えている。
【０１８５】
このため、遊技機１００は、遊技中に遊技者注目しやすい遊技盤１０８の中央部に、電力を供給せずに上前昇降役物装置６を配置することができる。これにより、遊技機１００は、上前昇降役物装置６などの演出役物装置を含む演出によって遊技者の遊技に対する興趣の向上を図ることができる。また、遊技機１００は、従来必要としている、演出役物装置を遊技盤の中央部に配置するための電力を他の演出に利用することができる。これにより、遊技機１００は、多彩な演出が可能になるので、遊技者の遊技に対する興趣をより一層向上することができる。さらに、遊技機１００は、低消費電力化を図ることができる。
【０１８６】
本発明は、上記実施形態に限らず、種々の変形が可能である。
上記実施形態では、保持部材は、保持駆動機構は、弾性部材を有する保持駆動機構によって当該弾性部材の弾性力を用いて保持されたり駆動されたりしているが、本発明はこれに限られない。例えば、保持部材は、保持駆動機構は、左ストッパ部７７Ｌ及び右ストッパ部７７Ｒのようなストッパ機構によって無電力保持位置で上前昇降役物装置を保持するように構成されていてもよい。
【０１８７】
上記実施形態では、保持部材は、上前昇降ユニット７に設けられているが、本発明は、これに限られない。例えば、遊技機は、保持部材を設けるための専用の構成要素を有していてもよい。また、遊技機は、上前昇降ユニット以外の構成要素に保持部材を設けてもよい。
【０１８８】
上記実施形態による遊技機１００は、上前昇降役物装置６が無電力保持位置で保持されるように構成されているが、本発明はこれに限られない。例えば、遊技機１００は、下前昇降役物装置８が無電力保持位置で保持されるように構成されていてもよい。また例えば、遊技機１００は、上前昇降役物装置６および下前昇降役物装置８の両方が無電力保持位置で保持されるように構成されていてもよい。これらの場合、上前昇降役物装置６の無電力保持位置および下前昇降役物装置８の無電力保持位置は、同じ位置であってもよいし、異なる位置であってもよい。
【０１８９】
上記実施形態による遊技機１００は、上前昇降役物装置６の左可動部６２などの可動部および下前昇降役物装置８の左可動部８２などの可動部が演出表示部２００ａの前側で開閉動作する演出を実行可能に構成されているが、本発明はこれに限られない。例えば、遊技機１００は、上前昇降役物装置６の可動部および下前昇降役物装置８の可動部が回転動作する演出を実行可能に構成されていてもよい。また例えば、遊技機１００は、上前昇降役物装置６の可動部および下前昇降役物装置８の可動部の一方が開閉動作する演出を実行可能であり、他方が回転動作する演出を実行可能に構成されていてもよい。また例えば、遊技機１００は、上前昇降役物装置６の複数の可動部のうちの少なくとも一部が開閉動作し、残余の部分が回転動作する演出を実行可能に構成されていてもよい。また例えば、遊技機１００は、下前昇降役物装置８の複数の可動部のうちの少なくとも一部が開閉動作し、残余の部分が回転動作する演出を実行可能に構成されていてもよい。また例えば、遊技機１００は、上前昇降役物装置６および下前昇降役物装置８のそれぞれの可動部のうちの少なくとも一部が開閉動作し、残余の部分が回転動作する演出を実行可能に構成されていてもよい。
【０１９０】
また、上記実施形態においては、遊技の進行を制御する主制御基板３００と、主制御基板３００から送信されるコマンドに基づいて演出を実行制御する副制御基板３３０とにおいて、上記のとおりに協働することで変動演出が実行されることとした。しかしながら、主制御基板３００および副制御基板３３０において、上記の各機能をどのように分担するかは適宜設計することが可能である。
【０１９１】
また、上記実施形態では、大当たりの当選確率を異にする２つの遊技状態と、第２始動口１２２への遊技球の入球容易性を異にする２つの遊技状態とを組み合わせた４つの遊技状態が設けられているが、遊技状態の内容や種類はこれに限定されるものではない。
【０１９２】
以上、添付図面を参照しながら本発明の好適な実施形態とその変形例について説明したが、本発明はかかる実施形態等に限定されない。当業者であれば、特許請求の範囲に記載された範疇において、各種の変更例または修正例に想到し得ることは明らかであり、それらについても当然に本発明の技術的範囲に属するものと了解される。
【符号の説明】
【０１９３】
４  演出操作装置
５  保持部材
５Ｌ  左保持部材
５Ｒ  右保持部材
６  上前昇降役物装置
７  上前昇降ユニット
８  下前昇降役物装置
９  下前昇降ユニット
１００  遊技機
１０８  遊技盤
３３０  副制御基板
３３０ａ  サブＣＰＵ
３３０ｂ  サブＲＯＭ
３３０ｃ  サブＲＡＭ
３４０  画像制御部
３５０  音声制御部
３６０  照明制御部
３７０  可動体制御部
【図１】
2020081002.tif 000003
【図２】
2020081002.tif 000004
【図３】
2020081002.tif 000005
【図４】
2020081002.tif 000006
【図５】
2020081002.tif 000007
【図６】
2020081002.tif 000008
【図７】
2020081002.tif 000009
【図８】
2020081002.tif 000010
【図９】
2020081002.tif 000011
【図１０】
2020081002.tif 000012
【図１１】
2020081002.tif 000013
【図１２】
2020081002.tif 000014
【図１３】
2020081002.tif 000015
【図１４】
2020081002.tif 000016
【図１５】
2020081002.tif 000017
【図１６】
2020081002.tif 000018
【図１７】
2020081002.tif 000019
【図１８】
2020081002.tif 000020
【図１９】
2020081002.tif 000021
【図２０】
2020081002.tif 000022
【図２１】
2020081002.tif 000023
【図２２】
2020081002.tif 000024